(57)【要約】  本開示は、複数のユーザデバイス間の相互接続性を実現することに関する。ワイヤレス相互接続性デバイスは、複数のユーザデバイスのうちの第1のユーザデバイスに第1のローカルワイヤレスネットワークを介して接続し、複数のユーザデバイスのうちの第2のユーザデバイスに第2のローカルワイヤレスネットワークを介して接続し、第1のユーザデバイスから第2のユーザデバイスにデータを転送するための要求を第1のユーザデバイスから受信し、第3のユーザデバイスが第1のユーザデバイスから第2のユーザデバイスにデータを転送するための許可を与えているか否かを判定し、第3のユーザデバイスが第1のユーザデバイスから第2のユーザデバイスにデータを転送するための許可を与えていることに基づいて第1のユーザデバイスから第2のユーザデバイスにデータを転送する。
2016539587.tif 000002
【特許請求の範囲】
【請求項１】
ワイヤレス相互接続性デバイスによって実行される複数のユーザデバイス間の相互接続性を実現する方法であって、
前記複数のユーザデバイスのうちの第1のユーザデバイスに第1のローカルワイヤレスネットワークを介して接続するステップと、
前記複数のユーザデバイスのうちの第2のユーザデバイスに第2のローカルワイヤレスネットワークを介して接続するステップと、
前記第1のユーザデバイスから前記第2のユーザデバイスにデータを転送するための要求を前記第1のユーザデバイスから受信するステップと、
第3のユーザデバイスが、前記第1のユーザデバイスから前記第2のユーザデバイスに前記データを転送するための許可を与えているか否かを判定するステップと、
前記第3のユーザデバイスが前記第1のユーザデバイスから前記第2のユーザデバイスに前記データを転送するための許可を与えていることに基づいて、前記第1のユーザデバイスから前記第2のユーザデバイスに前記データを転送するステップとを含む方法。
【請求項２】
前記第1のユーザデバイスは、ダウンロードされたアプリケーションを利用して前記ワイヤレス相互接続性デバイスにアクセスする、請求項1に記載の方法。
【請求項３】
前記第1のユーザデバイスは、前記ワイヤレス相互接続性デバイスが相互接続性を実現しない限り前記第2のユーザデバイスにアクセスすることができない、請求項1に記載の方法。
【請求項４】
前記第3のユーザデバイスは、前記第1のユーザデバイスが前記ワイヤレス相互接続性デバイスに接続するのを許可することによって前記第1のユーザデバイスから前記ワイヤレス相互接続性デバイスにデータを転送するための許可を与える、請求項1に記載の方法。
【請求項５】
前記第3のユーザデバイスは、前記第1のユーザデバイスから前記ワイヤレス相互接続性デバイスによって受信されるデータを転送するための各要求に基づいて前記第1のユーザデバイスから前記ワイヤレス相互接続性デバイスにデータを転送するための許可を与えるかまたは拒否する、請求項1に記載の方法。
【請求項６】
前記複数のユーザデバイスのうちの第4のユーザデバイスから前記第2のユーザデバイスにデータを転送するための要求を前記第4のユーザデバイスから受信するステップと、
前記第3のユーザデバイスが、前記第4のユーザデバイスから前記第2のユーザデバイスに前記データを転送するための許可を与えているか否かを判定するステップと、
前記第3のユーザデバイスが許可を与えていることに基づいて前記第4のユーザデバイスから前記第2のユーザデバイスに前記データを転送するステップとをさらに含む、請求項1に記載の方法。
【請求項７】
前記データが前記第1のユーザデバイスおよび前記第4のユーザデバイスから前記第2のユーザデバイスに転送される順序を制御する前記第3のユーザデバイスからの入力を受信するステップをさらに含む、請求項6に記載の方法。
【請求項８】
前記第1のユーザデバイスから転送された前記データおよび前記第4のユーザデバイスから転送された前記データを含むグローバルプレイリストを作成するステップをさらに含む、請求項6に記載の方法。
【請求項９】
前記グローバルプレイリストは、単一のエンティティとしてアドレス指定可能であり、前記第1のユーザデバイスおよび前記第4のユーザデバイスの表示を可能にする、請求項8に記載の方法。
【請求項１０】
前記第1のユーザデバイスを発見するステップと、
前記第2のユーザデバイスを発見するステップとをさらに含む、請求項1に記載の方法。
【請求項１１】
前記ワイヤレス相互接続性デバイスは、近接検出アプリケーションを使用して前記第1のユーザデバイスを発見する、請求項10に記載の方法。
【請求項１２】
前記ワイヤレス相互接続性デバイスによって、前記第1のローカルワイヤレスネットワークを確立するステップをさらに含む、請求項1に記載の方法。
【請求項１３】
前記ワイヤレス相互接続性デバイスは、前記第3のユーザデバイスのユーザからのコマンドに基づいて前記第2のユーザデバイスに接続する、請求項1に記載の方法。
【請求項１４】
前記第1のローカルワイヤレスネットワークは、前記第2のローカルワイヤレスネットワークと同じ種類のローカルワイヤレスネットワークを含む、請求項1に記載の方法。
【請求項１５】
前記第1のローカルワイヤレスネットワークは、前記第2のローカルワイヤレスネットワークと異なる種類のローカルワイヤレスネットワークを含む、請求項1に記載の方法。
【請求項１６】
複数のユーザデバイス間の相互接続性を実現するためのワイヤレス相互接続性デバイスであって、
前記複数のユーザデバイスのうちの第1のユーザデバイスに第1のローカルワイヤレスネットワークを介して接続するように構成された第1のトランシーバと、
前記複数のユーザデバイスのうちの第2のユーザデバイスに第2のローカルワイヤレスネットワークを介して接続するように構成された第2のトランシーバであって、前記第1のトランシーバが、前記第1のユーザデバイスから前記第2のユーザデバイスにデータを転送するための要求を前記第1のユーザデバイスから受信するようにさらに構成された第2のトランシーバと、
第3のユーザデバイスが、前記第1のユーザデバイスから前記第2のユーザデバイスに前記データを転送するための許可を与えているか否かを判定するように構成されたプロセッサとを含み、
前記第2のトランシーバは、前記第3のユーザデバイスが前記第1のユーザデバイスから前記第2のユーザデバイスに前記データを転送するための許可を与えていることに基づいて、前記第1のユーザデバイスから前記第2のユーザデバイスに前記データを転送するようにさらに構成されるワイヤレス相互接続性デバイス。
【請求項１７】
前記第1のユーザデバイスは、前記ワイヤレス相互接続性デバイスが相互接続性を実現しない限り前記第2のユーザデバイスにアクセスすることができない、請求項16に記載のワイヤレス相互接続性デバイス。
【請求項１８】
前記第3のユーザデバイスは、前記第1のユーザデバイスが前記ワイヤレス相互接続性デバイスに接続するのを許可することによって前記第1のユーザデバイスから前記ワイヤレス相互接続性デバイスにデータを転送するための許可を与える、請求項16に記載のワイヤレス相互接続性デバイス。
【請求項１９】
前記第3のユーザデバイスは、前記第1のユーザデバイスから前記ワイヤレス相互接続性デバイスによって受信されるデータを転送するための各要求に基づいて前記第1のユーザデバイスから前記ワイヤレス相互接続性デバイスにデータを転送するための許可を与えるかまたは拒否する、請求項16に記載のワイヤレス相互接続性デバイス。
【請求項２０】
前記第1のトランシーバは、前記複数のユーザデバイスのうちの第4のユーザデバイスから前記第2のユーザデバイスにデータを転送するための要求を前記第4のユーザデバイスから受信するようにさらに構成され、
前記プロセッサは、前記第3のユーザデバイスが、前記第4のユーザデバイスから前記第2のユーザデバイスに前記データを転送するための許可を与えているか否かを判定するようにさらに構成され、
前記第2のトランシーバは、前記第3のユーザデバイスが許可を与えていることに基づいて前記第4のユーザデバイスから前記第2のユーザデバイスに前記データを転送するようにさらに構成される、請求項16に記載のワイヤレス相互接続性デバイス。
【請求項２１】
前記プロセッサは、前記データが前記第1のユーザデバイスおよび前記第4のユーザデバイスから前記第2のユーザデバイスに転送される順序を制御する前記第3のユーザデバイスからの入力を受信するようにさらに構成される、請求項20に記載のワイヤレス相互接続性デバイス。
【請求項２２】
前記プロセッサは、前記第1のユーザデバイスから転送された前記データおよび前記第4のユーザデバイスから転送された前記データを含むグローバルプレイリストを作成するようにさらに構成される、請求項20に記載のワイヤレス相互接続性デバイス。
【請求項２３】
前記グローバルプレイリストは、単一のエンティティとしてアドレス指定可能であり、前記第1のユーザデバイスおよび前記第4のユーザデバイスの表示を可能にする、請求項22に記載のワイヤレス相互接続性デバイス。
【請求項２４】
前記第1のトランシーバは、近接検出アプリケーションに基づいて前記第1のユーザデバイスを発見するようにさらに構成される、請求項16に記載のワイヤレス相互接続性デバイス。
【請求項２５】
前記第1のトランシーバは、前記第1のローカルワイヤレスネットワークを確立するようにさらに構成される、請求項16に記載のワイヤレス相互接続性デバイス。
【請求項２６】
前記第2のトランシーバは、前記第3のユーザデバイスのユーザからのコマンドに基づいて前記第2のユーザデバイスに接続するようにさらに構成される、請求項16に記載のワイヤレス相互接続性デバイス。
【請求項２７】
前記第1のローカルワイヤレスネットワークは、前記第2のローカルワイヤレスネットワークと同じ種類のローカルワイヤレスネットワークを含む、請求項16に記載のワイヤレス相互接続性デバイス。
【請求項２８】
前記第1のローカルワイヤレスネットワークは、前記第2のローカルワイヤレスネットワークと異なる種類のローカルワイヤレスネットワークを含む、請求項16に記載のワイヤレス相互接続性デバイス。
【請求項２９】
複数のユーザデバイス間の相互接続性を実現するための装置であって、
前記複数のユーザデバイスのうちの第1のユーザデバイスに第1のローカルワイヤレスネットワークを介して接続するための手段と、
前記複数のユーザデバイスのうちの第2のユーザデバイスに第2のローカルワイヤレスネットワークを介して接続するための手段と、
前記第1のユーザデバイスから前記第2のユーザデバイスにデータを転送するための要求を前記第1のユーザデバイスから受信するための手段と、
第3のユーザデバイスが、前記第1のユーザデバイスから前記第2のユーザデバイスに前記データを転送するための許可を与えているか否かを判定するための手段と、
前記第3のユーザデバイスが前記第1のユーザデバイスから前記第2のユーザデバイスに前記データを転送するための許可を与えていることに基づいて、前記第1のユーザデバイスから前記第2のユーザデバイスに前記データを転送するための手段とを備える装置。
【請求項３０】
複数のユーザデバイス間の相互接続性を実現するための非一時的コンピュータ可読媒体であって、
ワイヤレス相互接続性デバイスに、前記複数のユーザデバイスのうちの第1のユーザデバイスに第1のローカルワイヤレスネットワークを介して接続させるための少なくとも1つの命令と、
ワイヤレス相互接続性デバイスに、前記複数のユーザデバイスのうちの第2のユーザデバイスに第2のローカルワイヤレスネットワークを介して接続させるための少なくとも1つの命令と、
ワイヤレス相互接続性デバイスに、前記第1のユーザデバイスから前記第2のユーザデバイスにデータを転送するための要求を前記第1のユーザデバイスから受信させるための少なくとも1つの命令と、
ワイヤレス相互接続性デバイスに、第3のユーザデバイスが、前記第1のユーザデバイスから前記第2のユーザデバイスに前記データを転送するための許可を与えているか否かを判定させるための少なくとも1つの命令と、
ワイヤレス相互接続性デバイスに、前記第3のユーザデバイスが前記第1のユーザデバイスから前記第2のユーザデバイスに前記データを転送するための許可を与えていることに基づいて、前記第1のユーザデバイスから前記第2のユーザデバイスに前記データを転送させるための少なくとも1つの命令とを含む非一時的コンピュータ可読媒体。
【発明の詳細な説明】
【技術分野】
【０００１】
関連出願の相互参照
本特許出願は、本出願の譲受人に譲渡され、その全体が参照により本明細書に明確に組み込まれる、2013年9月16日に出願された「USER INTERACTIVE APPLICATION ENABLED GATEWAY」と題する米国仮出願第61/878,522号の利益を主張する。
【０００２】
本開示は、ユーザ対話型アプリケーション対応ゲートウェイに関する。
【背景技術】
【０００３】
インターネットは、標準インターネットプロトコルスイート(たとえば、伝送制御プロトコル(TCP)およびインターネットプロトコル(IP))を使用して互いに通信する、相互接続されたコンピュータならびにコンピュータネットワークのグローバルシステムである。モノのインターネット(IoT)は、コンピュータおよびコンピュータネットワークだけでなく、日常の物が、IoT通信ネットワーク(たとえば、アドホックシステムまたはインターネット)を介して読取り可能、認識可能、位置特定可能、アドレス指定可能、および制御可能であり得るという発想に基づく。
【０００４】
いくつかの市場動向がIoTデバイスの開発を推進している。たとえば、増大するエネルギーコストは、政府によるスマートグリッドに対する戦略投資、ならびに電気自動車および公共充電ステーションなど、将来の消費に対するサポートを推進している。増大する医療費および老齢人口は、遠隔/コネクテッドヘルスケア(connected health care)およびフィットネスサービスの開発を推進している。住居内の技術革命は、「N」プレイ(たとえば、データ、音声、ビデオ、セキュリティ、エネルギー管理など)をマーケティングして、ホームネットワークを拡張するサービスプロバイダによる統合を含めて、新しい「スマート」サービスの開発を推進している。企業設備の運転費を削減するための手段として、建造物はよりスマートかつより便利になっている。
【０００５】
IoT用のいくつかの重要なアプリケーションが存在する。たとえば、スマートグリッドおよびエネルギー管理の領域では、公益事業会社は住居および事業に対するエネルギーの配給を最適化することができるのに対して、カスタマはエネルギー使用をより良好に管理することができる。住居およびビルディングオートメーションの領域では、スマートホームおよびスマート建造物は、住居もしくは事務所内の、電化製品からプラグイン電気自動車(PEV)セキュリティシステムまで、事実上、どのようなデバイスまたはシステムに対しても集中制御し得る。資産管理の分野では、企業、病院、工場、および他の大型組織は、価値が高い設備、患者、車両などの位置を正確に追跡することができる。ヘルスおよびウェルネスの領域では、医師は患者の健康を遠隔で監視することができるのに対して、人々はフィットネスルーチンの進捗を追跡することができる。
【発明の概要】
【課題を解決するための手段】
【０００６】
以下に、本明細書で開示する機構に関連する1つまたは複数の態様および/または実施形態に関する簡略化された概要を示す。したがって、以下の概要は、すべての考えられる態様および/または実施形態に関連する包括的な概説と見なされるべきではなく、また、以下の概要は、すべての考えられる態様および/または実施形態に関連する重要な、または決定的な要素を特定するか、任意の特定の態様および/または実施形態に関連付けられる範囲を定めると見なされるべきでもない。したがって、以下の概要は、以下で提示する詳細な説明に先立って、ユーザ対話型アプリケーション対応ゲートウェイに関する本明細書で開示する機構についての1つまたは複数の態様および/または実施形態に関係する特定の概念を簡略化された形で提示することが唯一の目的である。
【０００７】
本開示は、ワイヤレス相互接続性デバイスによって実行される複数のユーザデバイス間の相互接続性の実現に関する。ワイヤレス相互接続性デバイスによって実行される複数のユーザデバイス間の相互接続性を実現する方法は、複数のユーザデバイスのうちの第1のユーザデバイスに第1のローカルワイヤレスネットワークを介して接続することと、複数のユーザデバイスのうちの第2のユーザデバイスに第2のローカルワイヤレスネットワークを介して接続することと、第1のユーザデバイスから第2のユーザデバイスにデータを転送するための要求を第1のユーザデバイスから受信することと、第3のユーザデバイスが第1のユーザデバイスから第2のユーザデバイスにデータを転送するための許可を与えているか否かを判定することと、第3のユーザデバイスが第1のユーザデバイスから第2のユーザデバイスにデータを転送するための許可を与えていることに基づいて第1のユーザデバイスから第2のユーザデバイスにデータを転送することとを含む。
【０００８】
複数のユーザデバイス間の相互接続性を実現するためのワイヤレス相互接続性デバイスは、複数のユーザデバイスのうちの第1のユーザデバイスに第1のローカルワイヤレスネットワークを介して接続するように構成された第1のトランシーバと、複数のユーザデバイスのうちの第2のユーザデバイスに第2のローカルワイヤレスネットワークを介して接続するように構成された第2のトランシーバであって、第1のトランシーバが、第1のユーザデバイスから第2のユーザデバイスにデータを転送するための要求を第1のユーザデバイスから受信するようにさらに構成された第2のトランシーバと、第3のユーザデバイスが第1のユーザデバイスから第2のユーザデバイスにデータを転送するための許可を与えているか否かを判定するように構成されたプロセッサとを含み、第2のトランシーバは、第3のユーザデバイスが第1のユーザデバイスから第2のユーザデバイスにデータを転送するための許可を与えていることに基づいて第1のユーザデバイスから第2のユーザデバイスにデータを転送するようにさらに構成される。
【０００９】
複数のユーザデバイス間の相互接続性を実現するための装置は、複数のユーザデバイスのうちの第1のユーザデバイスに第1のローカルワイヤレスネットワークを介して接続するように構成された論理と、複数のユーザデバイスのうちの第2のユーザデバイスに第2のローカルワイヤレスネットワークを介して接続するように構成された論理と、第1のユーザデバイスから第2のユーザデバイスにデータを転送するための要求を第1のユーザデバイスから受信するように構成された論理と、第3のユーザデバイスが第1のユーザデバイスから第2のユーザデバイスにデータを転送するための許可を与えているか否かを判定するように構成された論理と、第3のユーザデバイスが第1のユーザデバイスから第2のユーザデバイスにデータを転送するための許可を与えていることに基づいて第1のユーザデバイスから第2のユーザデバイスにデータを転送するように構成された論理とを含む。
【００１０】
複数のユーザデバイス間の相互接続性を実現するための装置は、複数のユーザデバイスのうちの第1のユーザデバイスに第1のローカルワイヤレスネットワークを介して接続するための手段と、複数のユーザデバイスのうちの第2のユーザデバイスに第2のローカルワイヤレスネットワークを介して接続するための手段と、第1のユーザデバイスから第2のユーザデバイスにデータを転送するための要求を第1のユーザデバイスから受信するための手段と、第3のユーザデバイスが第1のユーザデバイスから第2のユーザデバイスにデータを転送するための許可を与えているか否かを判定するための手段と、第3のユーザデバイスが第1のユーザデバイスから第2のユーザデバイスにデータを転送するための許可を与えていることに基づいて第1のユーザデバイスから第2のユーザデバイスにデータを転送するための手段とを含む。
【００１１】
複数のユーザデバイス間の相互接続性を実現するための非一時的コンピュータ可読媒体は、ワイヤレス相互接続性デバイスに、複数のユーザデバイスのうちの第1のユーザデバイスに第1のローカルワイヤレスネットワークを介して接続させるための少なくとも1つの命令と、ワイヤレス相互接続性デバイスに、複数のユーザデバイスのうちの第2のユーザデバイスに第2のローカルワイヤレスネットワークを介して接続させるための少なくとも1つの命令と、ワイヤレス相互接続性デバイスに、第1のユーザデバイスから第2のユーザデバイスにデータを転送するための要求を第1のユーザデバイスから受信させるための少なくとも1つの命令と、ワイヤレス相互接続性デバイスに、第3のユーザデバイスが第1のユーザデバイスから第2のユーザデバイスにデータを転送するための許可を与えているか否かを判定させるための少なくとも1つの命令と、ワイヤレス相互接続性デバイスに、第3のユーザデバイスが第1のユーザデバイスから第2のユーザデバイスにデータを転送するための許可を与えていることに基づいて第1のユーザデバイスから第2のユーザデバイスにデータを転送させるための少なくとも1つの命令とを含む。
【００１２】
本明細書において開示される機構に関連付けられる他の目的および利点は、添付の図面および詳細な説明に基づいて、当業者に明らかになるであろう。
【００１３】
本開示の態様およびその付随する利点の多くに関するより完全な理解は、以下の詳細な説明を参照しながら、本発明を限定するためではなく単に例示するために提示される添付の図面とともに考察することによって、本開示の態様およびその付随する利点の多くがより深く理解されるようになるときに容易に得られるであろう。
【図面の簡単な説明】
【００１４】
【図１Ａ】本開示の一態様によるワイヤレス通信システムのハイレベルシステムアーキテクチャを示す図である。
【図１Ｂ】本開示の別の態様によるワイヤレス通信システムのハイレベルシステムアーキテクチャを示す図である。
【図１Ｃ】本開示の一態様によるワイヤレス通信システムのハイレベルシステムアーキテクチャを示す図である。
【図１Ｄ】本開示の一態様によるワイヤレス通信システムのハイレベルシステムアーキテクチャを示す図である。
【図１Ｅ】本開示の一態様によるワイヤレス通信システムのハイレベルシステムアーキテクチャを示す図である。
【図２Ａ】本開示の態様による例示的なモノのインターネット(IoT)デバイスを示す図である。
【図２Ｂ】本開示の態様による例示的な受動IoTデバイスを示す図である。
【図３】本開示の態様による、機能を実現するように構成された論理を含む通信デバイスを示す図である。
【図４】本開示の様々な態様による例示的なサーバを示す図である。
【図５】本開示の一態様による、発見可能なピアツーピア(P2P)サービスをサポートすることのできるワイヤレス通信ネットワークを示す図である。
【図６】本開示の一態様による、様々なデバイスが通信するのに利用することができる近接度ベースの分散バスを確立するために発見可能なP2Pサービスを使用し得る例示的な環境を示す図である。
【図７】本開示の一態様による、様々なデバイスが通信するのに利用することができる近接度ベースの分散バスを確立するために発見可能なP2Pサービスを使用し得る例示的なメッセージシーケンスを示す図である。
【図８】キューブを使用して車両オーディオシステムによってプレイリストを共有するための例示的なシステム構成を示す図である。
【図９Ａ】図8に示すキューブを使用して図8に示す車両オーディオシステムによってプレイリストを共有するための例示的なフローを示す図である。
【図９Ｂ】図8に示すキューブを使用して図8に示す車両オーディオシステムによってプレイリストを共有するための例示的なフローを示す図である。
【図１０】本開示の様々な実施形態による、複数のユーザデバイス間の相互接続性を実現するための例示的なフローを示す図である。
【図１１】本開示の一態様による、例示的なワイヤレス相互接続性デバイスを示す図である。
【発明を実施するための形態】
【００１５】
ユーザ相互接続性アプリケーション対応ゲートウェイについての例示的な実施形態に関する特定の例を示すための以下の説明および関連する図面において様々な態様が開示される。一態様では、ワイヤレス相互接続性デバイスは複数のユーザデバイス間の相互接続性を実現することができる。相互接続性デバイスは、複数のユーザデバイスのうちの第1のユーザデバイスに第1のローカルワイヤレスネットワークを介して接続し、複数のユーザデバイスのうちの第2のユーザデバイスに第2のローカルワイヤレスネットワークを介して接続し、第1のユーザデバイスから第2のユーザデバイスにデータを転送するための要求を第1のユーザデバイスから受信し、第3のユーザデバイスが第1のユーザデバイスから第2のユーザデバイスにデータを転送するための許可を与えているか否かを判定し、第3のユーザデバイスが第1のユーザデバイスから第2のユーザデバイスにデータを転送するための許可を与えていることに基づいて第1のユーザデバイスから第2のユーザデバイスにデータを転送してもよい。
【００１６】
代替的実施形態は、この開示を読むと当業者には明らかであり、本開示の範囲または趣旨を逸脱することなく構築され、実践され得る。加えて、本明細書で開示する態様および実施形態の関連する詳細を不明瞭にしないように、よく知られている要素は詳細には説明されず、または省略され得る。
【００１７】
「例示的」という言葉は、本明細書では「例、事例、または例示として機能すること」を意味するために使用される。本明細書で「例示的」として説明するいかなる実施形態も、必ずしも他の実施形態よりも好ましいか、または有利であると解釈されるべきではない。同様に、「実施形態」という用語は、すべての実施形態が、論じられた特徴、利点または動作モードを含むことを要求しない。
【００１８】
本明細書で使用される用語は、特定の実施形態のみを説明しており、本明細書で開示されるいずれかの実施形態を限定すると解釈されるべきではない。本明細書で使用される単数形「a」、「an」、および「the」は、文脈が別段に明確に示すのでなければ、複数形をも含むものとする。さらに、「含む(comprises)」、「含んでいる(comprising)」、「含む(includes)」、および/または「含んでいる(including)」という用語は、本明細書で使用すると、述べられた特徴、整数、ステップ、動作、要素、および/または構成要素の存在を明示するが、1つまたは複数の他の特徴、整数、ステップ、動作、要素、構成要素、および/またはそれらのグループの存在または追加を排除しないことが理解されよう。
【００１９】
さらに、多くの態様について、たとえばコンピューティングデバイスの要素によって実施されるべき、動作のシーケンスに関して説明する。本明細書で説明する様々な動作は、特定の回路(たとえば、特定用途向け集積回路(ASIC))によって、1つまたは複数のプロセッサによって実行されるプログラム命令によって、あるいは両方の組合せによって実施され得ることは認識されよう。さらに、本明細書で説明されるこれらの一連の動作は、実行されると、関連するプロセッサに本明細書において説明される機能を実行させることになる対応する1組のコンピュータ命令を記憶した、任意の形のコンピュータ可読記憶媒体内で完全に具現されるものと見なされ得る。したがって、本開示の様々な態様は、特許請求される主題の範囲内にすべて入ることが企図されているいくつかの異なる形で具現され得る。さらに、本明細書で説明される実施形態ごとに、任意のそのような実施形態の対応する形は、本明細書において、たとえば、説明される動作を実行する「ように構成された論理」として説明される場合がある。
【００２０】
本明細書で使用する「モノのインターネットデバイス」(すなわち「IoTデバイス」)という用語は、アドレス指定可能なインターフェース(たとえば、インターネットプロトコル(IP)アドレス、Bluetooth(登録商標)識別子(ID)、近距離無線通信(NFC:near-field communication)IDなど)を有し、有線またはワイヤレス接続を通じて1つまたは複数の他のデバイスに情報を送信することができる任意の物(たとえば、電化製品、センサーなど)を指すことができる。IoTデバイスは、クイックレスポンス(QR)コード、無線周波数識別(RFID)タグ、NFCタグなどの受動通信インターフェース、または、モデム、送受信機、送信機-受信機などの能動通信インターフェースを有し得る。IoTデバイスは、中央処理装置(CPU)、マイクロプロセッサ、ASICなどの中に組み込まれること、および/あるいは、それらによって制御/監視されることが可能であり、ローカルアドホックネットワークまたはインターネットなどのIoTネットワークに接続するように構成された特定の属性セット(たとえば、IoTデバイスがオンであるか、もしくはオフであるか、開いているか、もしくは閉じているか、アイドルであるか、もしくはアクティブであるか、タスク実行のために利用可能であるか、もしくはビジーであるかなど、冷房機能であるか、もしくは暖房機能であるか、環境監視機能であるか、もしくは環境記録機能であるか、発光機能であるか、音響放射機能であるかなど、デバイスの状態またはステータス)を有し得る。たとえば、IoTデバイスは、これらのデバイスがIoTネットワークと通信するためのアドレス指定可能通信インターフェースを備える限り、冷蔵庫、トースター、オーブン、電子レンジ、冷凍庫、皿洗い機、パラボラアンテナ(dishes)、手工具、洗濯機、衣類乾燥機、加熱炉、空調機、温度自動調整器、テレビジョン、照明設備、掃除機、スプリンクラー、電気メータ、ガスメータなどを含み得るが、これらに限定されない。IoTデバイスはまた、セルフォン(スマートフォンを含む)、デスクトップコンピュータ、ラップトップコンピュータ、タブレットコンピュータ、携帯情報端末(PDA)などを含み得る。したがって、IoTネットワークは、通常はインターネット接続性を有しないデバイス
(たとえば、皿洗い機など)に加えて、「レガシー」インターネットアクセス可能デバイス(たとえば、ラップトップコンピュータまたはデスクトップコンピュータ、セルフォンなど)の組合せから構成され得る。
【００２１】
図1Aは、本開示の一態様によるワイヤレス通信システム100Aのハイレベルシステムアーキテクチャを示す。ワイヤレス通信システム100Aは、テレビジョン110と、屋外空調機112と、温度自動調整器114と、冷蔵庫116と、洗濯機および乾燥機118とを含む、複数のIoTデバイスを含む。
【００２２】
図1Aを参照すると、IoTデバイス110〜118は、図1Aにエアインターフェース108および直接有線接続109として示す物理通信インターフェースまたは物理通信レイヤを介してアクセスネットワーク(たとえば、アクセスポイント125)と通信するように構成される。エアインターフェース108は、IEEE 802.11など、ワイヤレスインターネットプロトコル(IP)に準拠し得る。図1Aは、エアインターフェース108を介して通信するIoTデバイス110〜118と、直接有線接続109を介して通信するIoTデバイス118とを示すが、各IoTデバイスは、有線接続もしくはワイヤレス接続、または両方を介して通信することができる。
【００２３】
インターネット175は、いくつかのルーティングエージェントおよび処理エージェント(便宜上、図1Aには示されていない)を含む。インターネット175は、標準インターネットプロトコルスイート(たとえば、伝送制御プロトコル(TCP)およびIP)を使用して、異種のデバイス/ネットワークの間で通信する、相互接続されたコンピュータならびにコンピュータネットワークのグローバルシステムである。TCP/IPは、データが、宛先において、どのようにフォーマッティング、アドレス指定、送信、経路指定、および受信されるべきかを指定するエンドツーエンド接続性を提供する。
【００２４】
図1Aでは、デスクトップコンピュータまたはパーソナルコンピュータ(PC)などのコンピュータ120は、(たとえば、Ethernet(登録商標)接続またはWi-Fiもしくは802.11ベースのネットワークを介して)インターネット175と直接接続するとして示される。コンピュータ120は、(たとえば、有線接続性とワイヤレス接続性の両方を有するWiFiルータ用の)アクセスポイント125自体などに相当してよいモデムまたはルータとの直接接続など、インターネット175との有線接続を有し得る。代替的に、有線接続を介して、アクセスポイント125およびインターネット175に接続されるのではなく、コンピュータ120は、エアインターフェース108または別のワイヤレスインターフェースを介してアクセスポイント125に接続されてよく、エアインターフェース108を介してインターネット175にアクセスしてよい。デスクトップコンピュータとして例示されているが、コンピュータ120は、ラップトップコンピュータ、タブレットコンピュータ、PDA、スマートフォンなどであり得る。コンピュータ120は、IoTデバイスであり得、かつ/またはIoTデバイス110〜118のネットワーク/グループなど、IoTネットワーク/グループを管理するための機能を含み得る。
【００２５】
アクセスポイント125は、たとえば、FiOS、ケーブルモデム、デジタル加入者線(DSL)モデムなど、光通信システムを介して、インターネット175に接続され得る。アクセスポイント125は、標準インターネットプロトコル(たとえば、TCP/IP)を使用して、IoTデバイス110〜120およびインターネット175と通信することができる。
【００２６】
図1Aを参照すると、IoTサーバ170は、インターネット175に接続されるように示されている。IoTサーバ170は、複数の構造的に別々の複数のサーバとして実装され得るか、または代替的には、単一のサーバに対応し得る。一態様では、IoTサーバ170は、(点線によって示されるように)オプションであり、IoTデバイス110〜120のグループは、ピアツーピア(P2P)ネットワークであり得る。そのような場合、IoTデバイス110〜120は、エアインターフェース108および/または直接有線接続109を介して互いに直接通信することができる。代替的に、または追加として、IoTデバイス110〜120の一部またはすべては、エアインターフェース108および直接有線接続109に依存しない通信インターフェースで構成され得る。たとえば、エアインターフェース108がWiFiインターフェースに対応する場合、IoTデバイス110〜120のうちの1つもしくは複数は、互いに、または他のBluetooth(登録商標)対応デバイスもしくはNFC対応デバイスと直接通信するためのBluetooth(登録商標)インターフェースあるいはNFCインターフェースを有し得る。
【００２７】
ピアツーピアネットワークでは、サービス発見方式は、ノードの存在、その能力、およびグループメンバーシップをマルチキャストすることができる。ピアツーピアデバイスは、この情報に基づいて、関連性および後続の相互作用を確立することができる。
【００２８】
本開示の一態様によれば、図1Bは、複数のIoTデバイスを含む別のワイヤレス通信システム100Bのハイレベルアーキテクチャを示す。一般に、図1Bに示すワイヤレス通信システム100Bは、上でより詳細に説明した、図1Aに示すワイヤレス通信システム100Aと同じ、ならびに/または実質的に同様の様々な構成要素(たとえば、エアインターフェース108および/もしくは直接有線接続109を介してアクセスポイント125と通信するように構成された、テレビジョン110と、屋外空調機112と、温度自動調整器114と、冷蔵庫116と、洗濯機および乾燥機118とを含む様々なIoTデバイス、インターネット175に直接接続する、かつ/あるいはアクセスポイント125を通してインターネット175に接続するコンピュータ120、ならびにインターネット175を介してアクセス可能なIoTサーバ170など)を含み得る。したがって、説明を簡潔かつ簡単にするために、同じまたは同様の詳細が図1Aに示したワイヤレス通信システム100Aに関して上ですでに提供されている限り、図1Bに示すワイヤレス通信システム100B内のいくつかの構成要素に関する様々な詳細は本明細書で省略される場合がある。
【００２９】
図1Bを参照すると、ワイヤレス通信システム100Bは、代替的に、IoTマネージャ130またはIoTマネージャデバイス130と呼ばれる場合もあるスーパーバイザデバイス130を含み得る。したがって、以下の説明が「スーパーバイザデバイス」130という用語を使用する場合、IoTマネージャ、グループ所有者、または同様の用語に対するいずれの参照もスーパーバイザデバイス130、あるいは同じもしくは実質的に同様の機能を提供する別の物理的構成要素または論理的構成要素を指す場合があることを当業者は諒解されよう。
【００３０】
一実施形態では、スーパーバイザデバイス130は、一般に、ワイヤレス通信システム100B内の様々な他の構成要素を観測、監視、制御、あるいは管理することができる。たとえば、スーパーバイザデバイス130は、エアインターフェース108および/または直接有線接続109を介してアクセスネットワーク(たとえば、アクセスポイント125)と通信して、ワイヤレス通信システム100B内の様々なIoTデバイス110〜120に関連付けられた属性、活動、もしくは他の状態を監視または管理することができる。スーパーバイザデバイス130は、インターネット175に対して、および、オプションで、(点線として示される)IoTサーバ170に対して、有線接続またはワイヤレス接続を有し得る。スーパーバイザデバイス130は、様々なIoTデバイス110〜120に関連付けられた属性、活動、もしくは他の状態をさらに監視または管理するために使用され得る情報をインターネット175および/あるいはIoTサーバ170から取得することができる。スーパーバイザデバイス130は、独立型デバイスであってよく、または、コンピュータ120など、IoTデバイス110〜120のうちの1つであってもよい。スーパーバイザデバイス130は、物理デバイスであってよく、または物理デバイス上で実行するソフトウェアアプリケーションであってもよい。スーパーバイザデバイス130は、IoTデバイス110〜120に関連付けられた、監視される属性、活動、または他の状態に関する情報を出力して、それらに関連付けられた属性、活動、または他の状態を制御あるいは管理するための入力情報を受信することができるユーザインターフェースを含み得る。したがって、スーパーバイザデバイス130は、一般に、様々な構成要素を含むことが可能であり、ワイヤレス通信システム100B内の様々な構成要素を観測、監視、制御、あるいは管理するために様々な有線通信インターフェースおよびワイヤレス通信インターフェースをサポートし得る。
【００３１】
図1Bに示すワイヤレス通信システム100Bは、ワイヤレス通信システム100Bに結合され得るか、あるいはワイヤレス通信システム100Bの一部であり得る(能動IoTデバイス110〜120と対照的な)1つまたは複数の受動IoTデバイス105を含み得る。一般に、受動IoTデバイス105は、短距離インターフェースを介して問い合わされたとき、その識別子と属性とを別のデバイスに提供することができる、バーコード付きデバイス、Bluetooth(登録商標)デバイス、無線周波数(RF)デバイス、RFIDタグ付きデバイス、赤外線(IR)デバイス、NFCタグ付きデバイス、または任意の他の適切なデバイスを含み得る。能動IoTデバイスは、受動IoTデバイスの属性の変化を検出すること、記憶すること、通信すること、それらの変化に作用することなどが可能である。
【００３２】
たとえば、受動IoTデバイス105は、各々、RFIDタグまたはバーコードを有するコーヒーカップとオレンジジュースの容器とを含み得る。キャビネットIoTデバイスおよび冷蔵庫IoTデバイス116は、各々、RFIDタグもしくはバーコードを読み取って、コーヒーカップおよび/またはオレンジジュースの容器の受動IoTデバイス105がいつ追加あるいは除去されたかを検出することができる適切なスキャナまたはリーダーを有し得る。キャビネットIoTデバイスがコーヒーカップの受動IoTデバイス105の除去を検出し、冷蔵庫IoTデバイス116がオレンジジュースの容器の受動IoTデバイスの除去を検出すると、スーパーバイザデバイス130は、キャビネットIoTデバイスおよび冷蔵庫IoTデバイス116において検出された活動に関する1つまたは複数の信号を受信することができる。スーパーバイザデバイス130は、次いで、ユーザがコーヒーカップからオレンジジュースを飲んでいる、およびまたはコーヒーカップからオレンジジュースを飲みたいことを推定することができる。
【００３３】
上記は何らかの形のRFIDタグ通信インターフェースまたはバーコード通信インターフェースを有するとして受動IoTデバイス105を説明しているが、受動IoTデバイス105は、そのような通信能力を有しない、1つもしくは複数のデバイスまたは他の物理的対象物を含み得る。たとえば、あるIoTデバイスは、受動IoTデバイス105を識別するために、受動IoTデバイス105に関連付けられた形状、サイズ、色、および/もしくは他の観測可能な特徴を検出することができる適切なスキャナ機構またはリーダー機構を有し得る。このようにして、任意の適切な物理的対象物はその識別情報および属性を通信して、ワイヤレス通信システム100Bの一部になることができ、スーパーバイザデバイス130を用いて観測、監視、制御、あるいは管理され得る。さらに、受動IoTデバイス105は、図1Aのワイヤレス通信システム100Aに結合され得るか、あるいはその一部であり得、実質的に同様の形で、観測、監視、制御、または管理され得る。
【００３４】
本開示の別の態様によれば、図1Cは、複数のIoTデバイスを含む別のワイヤレス通信システム100Cのハイレベルアーキテクチャを示す。一般に、図1Cに示すワイヤレス通信システム100Cは、上でより詳細に説明した、図1Aおよび図1Bにそれぞれ示したワイヤレス通信システム100Aならびに100Bと同じ、かつ/または実質的に同様の様々な構成要素を含み得る。したがって、説明を簡潔かつ簡単にするために、同じまたは類似の詳細が、それぞれ、図1Aおよび図1Bに示したワイヤレス通信システム100Aならびに100Bに関して上ですでに提供されている限り、図1Cに示すワイヤレス通信システム100C内のいくつかの構成要素に関する様々な詳細は本明細書で省略される場合がある。
【００３５】
図1Cに示す通信システム100Cは、IoTデバイス110〜118とスーパーバイザデバイス130との間の例示的なピアツーピア通信を示す。図1Cに示すように、スーパーバイザデバイス130は、IoTスーパーバイザインターフェースを介してIoTデバイス110〜118の各々と通信する。さらに、IoTデバイス110および114、IoTデバイス112、114、および116、ならびにIoTデバイス116および118は、互いに直接通信する。
【００３６】
IoTデバイス110〜118はIoTグループ160を構成する。IoTデバイスグループ160は、ユーザのホームネットワークに接続されたIoTデバイスなど、ローカルに接続されたIoTデバイスのグループである。示さないが、複数のIoTデバイスグループは、インターネット175に接続されたIoT SuperAgent140を介して互いに接続されること、および/または通信することが可能である。ハイレベルで、スーパーバイザデバイス130はグループ内通信を管理するのに対して、IoT SuperAgent140はグループ間通信を管理することができる。別個のデバイスとして示すが、スーパーバイザデバイス130およびIoT SuperAgent140は、同じデバイス(たとえば、図1Aのコンピュータ120など、独立型デバイスもしくはIoTデバイス)であり得るか、またはその中に存在し得る。代替的に、IoT SuperAgent140は、アクセスポイント125の機能に対応し得るか、またはその機能を含み得る。さらに別の代替として、IoT SuperAgent140は、IoTサーバ170などのIoTサーバの機能に対応し得るか、またはその機能を含み得る。IoT SuperAgent140は、ゲートウェイ機能145をカプセル化することができる。
【００３７】
各IoTデバイス110〜118は、スーパーバイザデバイス130をピアとして扱って、属性/スキーマ更新をスーパーバイザデバイス130に送信することができる。IoTデバイスが別のIoTデバイスと通信する必要があるとき、IoTデバイスは、スーパーバイザデバイス130にそのIoTデバイスに対するポインタを要求し、次いで、ピアとしてターゲットIoTデバイスと通信することができる。IoTデバイス110〜118は、共通メッセージングプロトコル(CMP)を使用して、ピアツーピア通信ネットワークを介して互いに通信する。2つのIoTデバイスがCMP対応であり、共通通信トランスポートを介して接続される限り、それらのIoTデバイスは互いに通信することができる。プロトコルスタック内で、CMPレイヤ154は、アプリケーションレイヤ152の下にあり、トランスポートレイヤ156および物理レイヤ158の上にある。
【００３８】
本開示の別の態様によれば、図1Dは、複数のIoTデバイスを含む別のワイヤレス通信システム100Dのハイレベルアーキテクチャを示す。一般に、図1Dに示すワイヤレス通信システム100Dは、それぞれ、上でより詳細に説明した、図1A〜図1Cに示したワイヤレス通信システム100A〜100Cと同じ、かつ/または実質的に類似した様々構成要素を含み得る。したがって、説明を簡潔かつ簡単にするために、同じまたは類似の詳細がそれぞれ図1A〜図1Cに示したワイヤレス通信システム100A〜100Cに関して上ですでに提供されている限り、図1Dに示すワイヤレス通信システム100D内のいくつかの構成要素に関する様々な詳細は本明細書で省略される場合がある。
【００３９】
インターネット175は、IoTの概念を使用して調整され得る「リソース」である。しかしながら、インターネット175は、調整されるリソースのほんの一例であり、任意のリソースがIoTの概念を使用して調整され得る。調整され得る他のリソースは、電気、ガス、ストレージ、セキュリティなどを含むが、これらに限定されない。IoTデバイスは、リソースに接続され得、それによって、リソースを調整するか、またはリソースはインターネット175を介して調整され得る。図1Dは、天然ガス、ガソリン、湯、および電気など、いくつかのリソース180を示し、リソース180は、インターネット175に加えて調整され得るか、またはインターネット175を介して調整され得る。
【００４０】
IoTデバイスは、互いに通信して、リソース180の使用を調整することができる。たとえば、トースター、コンピュータ、およびヘアドライヤなどのIoTデバイスは、Bluetooth(登録商標)通信インターフェースを介して互いに通信して、その電気(リソース180)使用を調整することができる。別の例として、デスクトップコンピュータ、電話、およびタブレットコンピュータなどのIoTデバイスは、Wi-Fi通信インターフェースを介して通信して、インターネット175(リソース180)に対するそのアクセスを調整することができる。さらに別の例として、ストーブ、衣類乾燥機、および湯沸かし器などのIoTデバイスは、Wi-Fi通信インターフェースを介して通信して、そのガス使用を調整することができる。代替的に、または追加として、各IoTデバイスは、IoTデバイスから受信された情報に基づいて、そのリソース180の使用を調整するための論理を有する、IoTサーバ170などのIoTサーバに接続され得る。
【００４１】
本開示の別の態様によれば、図1Eは、複数のIoTデバイスを含む別のワイヤレス通信システム100Eのハイレベルアーキテクチャを示す。一般に、図1Eに示すワイヤレス通信システム100Eは、上でより詳細に説明した、それぞれ、図1A〜図1Dに示したワイヤレス通信システム100A〜100Dと同じ、かつ/または実質的に類似した様々構成要素を含み得る。したがって、説明を簡潔かつ簡単にするために、同じまたは類似の詳細がそれぞれ図1A〜図1Dに示したワイヤレス通信システム100A〜100Dに関して上ですでに提供されている限り、図1Eに示すワイヤレス通信システム100E内のいくつかの構成要素に関する様々な詳細は本明細書で省略される場合がある。
【００４２】
通信システム100Eは、2つのIoTデバイスグループ160Aおよび160Bを含む。複数のIoTデバイスグループは、インターネット175に接続されたIoT SuperAgentを介して互いに接続されること、および/または互いに通信することが可能である。ハイレベルで、IoT SuperAgentは、IoTデバイスグループ内のグループ間通信を管理することができる。たとえば、図1Eで、IoTデバイスグループ160Aは、IoTデバイス116A、122A、および124Aと、IoT SuperAgent140Aとを含むのに対して、IoTデバイスグループ160Bは、IoTデバイス116B、122B、および124Bと、IoT SuperAgent140Bとを含む。したがって、IoT SuperAgent140Aおよび140Bは、インターネット175と接続して、インターネット175を介して互いと通信すること、ならびに/またはIoTデバイスグループ160Aおよび160B間の通信を促すために互いと直接通信することができる。さらに、図1Eは、IoT SuperAgent140Aおよび140Bを介して互いと通信する2つのIoTデバイスグループ160Aおよび160Bを示すが、任意の数のIoTデバイスグループが、IoT SuperAgentを使用して互いと好適に通信することができることを当業者は諒解されよう。
【００４３】
図2Aは、本開示の態様によるIoTデバイス200Aのハイレベルな例を示す。外観および/または内部構成要素はIoTデバイス間でかなり異なる場合があるが、大部分のIoTデバイスは、ディスプレイとユーザ入力のための手段とを含み得る、ある種のユーザインターフェースを有することになる。ユーザインターフェースがないIoTデバイスは、図1A〜図1Bにおけるエアインターフェース108など、有線ネットワークまたはワイヤレスネットワークを介してリモートで通信され得る。
【００４４】
図2Aに示すように、IoTデバイス200Aに関する例示的な構成では、IoTデバイス200Aの外部ケーシングは、当技術分野で知られているように、構成要素の中でも、ディスプレイ226と、電源ボタン222と、2つの制御ボタン224Aおよび224Bとで構成され得る。ディスプレイ226は、タッチスクリーンディスプレイであり得、その場合、制御ボタン224Aおよび224Bは必要でない場合がある。IoTデバイス200Aの一部として明示的に示されてはいないが、IoTデバイス200Aは、限定はしないが、Wi-Fiアンテナ、セルラーアンテナ、衛星位置システム(SPS)アンテナ(たとえば、全地球測位システム(GPS)アンテナ)などを含む、1つまたは複数の外部アンテナおよび/または外部ケーシングに内蔵される1つのまたは複数の内蔵アンテナを含むことができる。
【００４５】
IoTデバイス200AなどのIoTデバイスの内部構成要素は異なるハードウェア構成によって具体化され得るが、内部ハードウェア構成要素のための基本的なハイレベル構成は図2Aにプラットフォーム202として示されている。プラットフォーム202は、図1A〜図1Bのエアインターフェース108ならびに/または有線インターフェースなど、ネットワークインターフェースを介して送信されたソフトウェアアプリケーション、データ、および/またはコマンドを受信ならびに実行することができる。プラットフォーム202は、ローカルに記憶されたアプリケーションを独立して実行してもよい。プラットフォーム202は、一般に、プロセッサ208と呼ばれることになる、マイクロコントローラ、マイクロプロセッサ、特定用途向け集積回路、デジタル信号プロセッサ(DSP)、プログラマブル論理回路、または他のデータ処理デバイスなど、1つもしくは複数のプロセッサ208に動作可能に結合された有線通信および/あるいはワイヤレス通信のために構成された1つもしくは複数の送受信機206(たとえば、Wi-Fi送受信機、Bluetooth(登録商標)送受信機、セルラー送受信機、衛星送受信機、GPS受信機またはSPS受信機など)を含み得る。プロセッサ208は、IoTデバイス内のメモリ212内でアプリケーションプログラミング命令を実行することができる。メモリ212は、読取り専用メモリ(ROM)、ランダムアクセスメモリ(RAM)、電気消去可能プログラマブルROM(EEPROM)、フラッシュカード、またはコンピュータプラットフォームに共通の任意のメモリのうちの1つもしくは複数を含み得る。1つもしくは複数の入出力(I/O)インターフェース214は、プロセッサ208が、示すようなディスプレイ226、電源ボタン222、制御ボタン224Aおよび224Bなどの様々なI/Oデバイス、ならびにIoTデバイス200Aに関連付けられたセンサー、アクチュエータ、リレー、バルブ、スイッチなどの任意の他のデバイスと通信すること、ならびにそれらから制御することを可能にするように構成され得る。
【００４６】
図2Bは、本開示の態様による受動IoTデバイス200Bのハイレベルな例を示す。一般に、図2Bに示す受動IoTデバイス200Bは、上でより詳細に説明した、図2Aに示したIoTデバイス200Aと同じ、かつ/または実質的に類似した様々構成要素を含み得る。したがって、説明を簡潔かつ簡単にするために、同じまたは類似の詳細が図2Aに示したIoTデバイス200Aに関して上ですでに提供されている限り、図2Bに示す受動IoTデバイス200B内のいくつかの構成要素に関する様々な詳細は本明細書で省略される場合がある。
【００４７】
図2Bに示す受動IoTデバイス200Bは、プロセッサ、内部メモリ、またはある種の他の構成要素を有しない場合があるという点で、一般に、図2Aに示すIoTデバイス200Aとは異なる場合がある。代わりに、一実施形態では、受動IoTデバイス200Bは、受動IoTデバイス200Bが、制御されたIoTネットワーク内で観測されること、監視されること、制御されること、管理されること、あるいは知られることを可能にする、I/Oインターフェース214または他の適切な機構だけを含み得る。たとえば、一実施形態では、受動IoTデバイス200Bに関連付けられたI/Oインターフェース214は、短距離インターフェースを介して問い合わされたとき、受動IoTデバイス200Bに関連付けられた識別子および属性を別のデバイス(たとえば、受動IoTデバイス200Bに関連付けられた属性に関する情報を検出すること、記憶すること、通信すること、その情報に作用すること、あるいはその情報を処理することができる、IoTデバイス200Aなどの能動IoTデバイス)に提供することができる、バーコード、Bluetooth(登録商標)インターフェース、無線周波数(RF)インターフェース、RFIDタグ、IRインターフェース、NFCインターフェース、または任意の他の適切なI/Oインターフェースを含み得る。
【００４８】
上記は何らかの形のRF、バーコード、または他のI/Oインターフェース214を有するとして受動IoTデバイス200Bを説明しているが、受動IoTデバイス200Bは、そのようなI/Oインターフェース214を有しないデバイスまたは他の物理的対象物を含み得る。たとえば、あるIoTデバイスは、受動IoTデバイス200Bを識別するために、受動IoTデバイス200Bに関連付けられた形状、サイズ、色、および/もしくは他の観測可能な特徴を検出することができる適切なスキャナ機構またはリーダー機構を有し得る。このようにして、任意の適切な物理的対象物は、その識別および属性を通信することができ、制御されたIoTネットワーク内で観測、監視、制御、あるいは管理され得る。
【００４９】
図3は、機能を実行するように構成される論理を含む通信デバイス300を示す。通信デバイス300は、限定はしないが、IoTデバイス110〜120、IoTデバイス200A、インターネット175に結合された任意の構成要素(たとえば、IoTサーバ170)などを含む、上記の通信デバイスのうちのいずれかに対応し得る。したがって、通信デバイス300は、図1A〜図1Bのワイヤレス通信システム100A〜100Bを介して1つもしくは複数の他のエンティティと通信する(または通信を容易にする)ように構成された任意の電子デバイスに対応し得る。
【００５０】
図3を参照すると、通信デバイス300は、情報を受信および/または送信するように構成される論理305を含む。一例では、通信デバイス300がワイヤレス通信デバイス(たとえば、IoTデバイス200Aおよび/または受動IoTデバイス200B)に対応する場合には、情報を受信および/または送信するように構成される論理305は、ワイヤレス送受信機および関連ハードウェア(たとえば、RFアンテナ、モデム、変調器および/または復調器など)のようなワイヤレス通信インターフェース(たとえば、Bluetooth(登録商標)、Wi-Fi、Wi-Fi Direct、Long-Term Evolution (LTE) Directなど)を含むことができる。別の例では、情報を受信および/または送信するように構成された論理305は、有線通信インターフェース(たとえば、インターネット175にアクセスする手段となり得るシリアル接続、USBまたはFirewire接続、Ethernet(登録商標)接続など)に対応することができる。したがって、通信デバイス300が、何らかのタイプのネットワークベースのサーバ(たとえば、IoTサーバ170)に対応する場合には、情報を受信および/または送信するように構成された論理305は、一例では、Ethernet(登録商標)プロトコルによってネットワークベースのサーバを他の通信エンティティに接続するEthernet(登録商標)カードに対応し得る。さらなる例では、情報を受信および/または送信するように構成された論理305は、通信デバイス300がそのローカル環境を監視する手段となり得る感知または測定ハードウェア(たとえば、加速度計、温度センサー、光センサー、ローカルRF信号を監視するためのアンテナなど)を含むことができる。情報を受信および/または送信するように構成された論理305は、実行されるときに、情報を受信および/または送信するように構成された論理305の関連ハードウェアがその受信機能および/または送信機能を実行できるようにするソフトウェアも含むことができる。しかしながら、情報を受信および/または送信するように構成された論理305は、ソフトウェアだけに対応するのではなく、情報を受信および/または送信するように構成された論理305は、その機能性を達成するためのハードウェアに少なくとも部分的に依拠する。
【００５１】
図3を参照すると、通信デバイス300は、情報を処理するように構成される論理310をさらに含む。一例では、情報を処理するように構成される論理310は、少なくともプロセッサを含むことができる。情報を処理するように構成された論理310によって実施され得るタイプの処理の例示的な実装形態は、判断を行うこと、接続を確立すること、異なる情報オプション間で選択を行うこと、データに関係する評価を実施すること、測定動作を実施するために通信デバイス300に結合されたセンサーと対話すること、情報をあるフォーマットから別のフォーマットに(たとえば、.wmvから.aviへなど、異なるプロトコル間で)変換することなどを含むが、これらに限定されない。たとえば、情報を処理するように構成された論理310中に含まれるプロセッサは、汎用プロセッサ、DSP、ASIC、フィールドプログラマブルゲートアレイ(FPGA)もしくは他のプログラマブル論理デバイス、個別ゲートもしくはトランジスタ論理、個別ハードウェア構成要素、または本明細書において説明される機能を実行するように設計されたそれらの任意の組合せに対応し得る。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ(たとえば、DSPおよびマイクロプロセッサの組合せ、複数のマイクロプロセッサ、DSPコアと連携する1つもしくは複数のマイクロプロセッサ、または任意の他のそのような構成)として実現され得る。情報を処理するように構成された論理310は、実行されるとき、情報を処理するように構成された論理310の関連ハードウェアがその処理機能を実行できるようにするソフトウェアも含むことができる。しかしながら、情報を処理するように構成された論理310は、ソフトウェアだけに対応するのではなく、情報を処理するように構成された論理310は、その機能を達成するためにハードウェアに少なくとも部分的に依拠する。
【００５２】
図3を参照すると、通信デバイス300は、情報を記憶するように構成される論理315をさらに含む。一例では、情報を記憶するように構成される論理315は、少なくとも非一時的メモリおよび関連ハードウェア(たとえば、メモリコントローラなど)を含むことができる。たとえば、情報を記憶するように構成される論理315に含まれる非一時的メモリは、RAM、フラッシュメモリ、ROM、消去可能プログラマブルROM(EPROM)、EEPROM、レジスタ、ハードディスク、リムーバブルディスク、CD-ROM、または当該技術分野において知られている任意の他の形の記憶媒体に対応することができる。情報を記憶するように構成される論理315は、実行されるときに、情報を記憶するように構成される論理315の関連ハードウェアがその記憶機能を実行できるようにするソフトウェアも含むことができる。しかしながら、情報を記憶するように構成される論理315は、ソフトウェアだけに対応するのではなく、情報を記憶するように構成される論理315は、その機能を達成するためにハードウェアに少なくとも部分的に依拠する。
【００５３】
図3を参照すると、通信デバイス300は、情報を提示するように構成された論理320をさらにオプションで含む。一例では、情報を提示するように構成される論理320は、少なくとも出力デバイスおよび関連ハードウェアを含むことができる。たとえば、出力デバイスは、ビデオ出力デバイス(たとえば、ディスプレイスクリーン、USB、HDMI(登録商標)のようなビデオ情報を搬送することができるポートなど)、オーディオ出力デバイス(たとえば、スピーカ、マイクロフォンジャック、USB、HDMI(登録商標)のようなオーディオ情報を搬送することができるポートなど)、振動デバイス、および/または、情報がそれによって出力のためにフォーマットされ得る、または通信デバイス300のユーザもしくは操作者によって実際に出力され得る任意の他のデバイスを含むことができる。たとえば、通信デバイス300が、図2Aに示したIoTデバイス200Aおよび/または図2Bに示した受動IoTデバイス200Bに対応する場合、情報を提示するように構成された論理320は、ディスプレイ226を含み得る。さらなる一例では、情報を提示するように構成される論理320は、ローカルユーザを有しないネットワーク通信デバイス(たとえば、ネットワークスイッチ、またはルータ、リモートサーバなど)のようないくつかの通信デバイスでは省くことができる。情報を提示するように構成された論理320は、実行されるとき、情報を提示するように構成された論理320の関連ハードウェアがその提示機能を実施できるようにするソフトウェアも含むことができる。しかしながら、情報を提示するように構成された論理320は、ソフトウェアだけに対応するのではなく、情報を提示するように構成された論理320は、その機能性を達成するためにハードウェアに少なくとも部分的に依拠する。
【００５４】
図3を参照すると、通信デバイス300は、ローカルユーザ入力を受信するように構成された論理325をさらにオプションで含む。一例では、ローカルユーザ入力を受信するように構成される論理325は、少なくともユーザ入力デバイスおよび関連ハードウェアを含むことができる。たとえば、ユーザ入力デバイスは、ボタン、タッチスクリーンディスプレイ、キーボード、カメラ、オーディオ入力デバイス(たとえば、マイクロフォン、もしくはマイクロフォンジャックなど、オーディオ情報を搬送することができるポートなど)、および/または情報がそれによって通信デバイス300のユーザもしくはオペレータから受信され得る任意の他のデバイスを含み得る。たとえば、通信デバイス300が図2Aに示すようなIoTデバイス200Aおよび/または図2Bに示すような受動IoTデバイス200Bに対応する場合、ローカルユーザ入力を受信するように構成された論理325は、ボタン222、224Aおよび224B、ディスプレイ226(タッチスクリーンの場合)などを含み得る。さらなる例では、ローカルユーザ入力を受信するように構成された論理325は、(たとえば、ネットワークスイッチまたはルータ、リモートサーバなど)ローカルユーザを有さないネットワーク通信デバイスのようないくつかの通信デバイスでは省略されることがある。ローカルユーザ入力を受信するように構成された論理325は、実行されるとき、ローカルユーザ入力を受信するように構成された論理325の関連ハードウェアがその入力受信機能を実施できるようにするソフトウェアも含むことができる。しかしながら、ローカルユーザ入力を受信するように構成された論理325は、ソフトウェアだけに対応するのではなく、ローカルユーザ入力を受信するように構成された論理325は、その機能性を達成するためにハードウェアに少なくとも部分的に依拠する。
【００５５】
図3を参照すると、305〜325の構成された論理は、図3では別個のまたは相異なるブロックとして示されているが、それぞれの構成された論理がその機能を実行するためのハードウェアおよび/またはソフトウェアは、部分的に重複できることは理解されよう。たとえば、305〜325の構成された論理の機能を容易にするために使用される任意のソフトウェアを、情報を記憶するように構成された論理315に関連する非一時的メモリに記憶することができ、それにより、305〜325の構成された論理は各々、その機能(すなわち、この場合、ソフトウェア実行)を、情報を記憶するように構成された論理315によって記憶されたソフトウェアの動作に部分的に基づいて実行する。同様に、構成された論理のうちの1つに直接関連付けられるハードウェアは、時々、他の構成された論理によって借用または使用され得る。たとえば、情報を処理するように構成された論理310のプロセッサは、データを、情報を受信および/または送信するように構成された論理305によって送信される前に、適切な形式にフォーマットすることができ、それにより、情報を受信および/または送信するように構成された論理305は、その機能(すなわち、この場合、データの送信)を、情報を処理するように構成された論理310に関連付けられたハードウェア(すなわち、プロセッサ)の動作に部分的に基づいて実行する。
【００５６】
概して、別段に明示的に記載されていない限り、本開示全体にわたって使用される「ように構成された論理」という句は、ハードウェアにより少なくとも部分的に実施される態様を呼び出すものとし、ハードウェアから独立したソフトウェアだけの実施形態に位置づけるものではない。様々なブロックにおける構成された論理または「ように構成された論理」は、特定の論理ゲートまたは論理要素に限定されるのではなく、概して、本明細書に記載した機能性を、(ハードウェアまたはハードウェアとソフトウェアの組合せのいずれかを介して)実施するための能力を指すことが諒解されよう。したがって、様々なブロックに示す構成された論理または「ように構成された論理」は、「論理」という言葉を共有するにもかかわらず、必ずしも論理ゲートまたは論理要素として実装されるとは限らない。様々なブロックの論理間の他のやりとりまたは協働が、以下でより詳細に説明する態様の検討から、当業者には明らかになるであろう。
【００５７】
様々な実施形態は、図4に示すサーバ400などの、様々な市販のサーバデバイスのいずれにおいても実装され得る。一例では、サーバ400は、上記で説明したIoTサーバ170の1つの例示的な構成に対応し得る。図4では、サーバ400は、揮発性メモリ402と、ディスクドライブ403などの大容量の不揮発性メモリとに結合されたプロセッサ401を含む。サーバ400は、プロセッサ401に結合された、フロッピー(登録商標)ディスクドライブ、コンパクトディスク(CD)ドライブまたはDVDディスクドライブ406を含むことも可能である。サーバ400は、他のブロードキャストシステムコンピュータおよびサーバに、またはインターネットに結合されたローカルエリアネットワークなどのネットワーク407とのデータ接続を確立するための、プロセッサ401に結合されたネットワークアクセスポート404を含むことも可能である。図3の文脈において、図4のサーバ400は、通信デバイス300の1つの例示的な実装形態を示すが、情報を送信および/または受信するように構成された論理305は、ネットワーク407と通信するためにサーバ400によって使用されるネットワークアクセスポート404に相当し、情報を処理するように構成された論理310は、プロセッサ401に相当し、情報を記憶するように構成された論理315は、揮発性メモリ402、ディスク(disk)ドライブ403、および/またはディスク(disc)ドライブ406のうちの任意の組合せに相当することが諒解されよう。情報を提示するように構成されたオプションの論理320およびローカルユーザ入力を受信するように構成されたオプションの論理325は、図4には明示的に示さず、その中に含まれる場合もあれば、含まれない場合もある。したがって、図4は、通信デバイス300が、図2Aに示すようなIoTデバイスの実装形態に加えてサーバとして実装され得ることを説明するのを助ける。
【００５８】
概して、電話、タブレットコンピュータ、ラップトップコンピュータおよびデスクトップコンピュータ、特定の車両などのユーザ機器(UE)は、互いに(たとえば、Bluetooth(登録商標)、ローカルWi-Fiなどによって)ローカルに接続するかまたは(たとえば、セルラーネットワーク、インターネットなどを介して)リモートに接続するように構成されてもよい。さらに、いくつかのUEは、デバイスが1対1の接続を確立するかまたは互いに直接通信するためにいくつかのデバイスを含むグループに同時に接続するのを可能にする特定のワイヤレスネットワーキング技法(たとえば、Wi-Fi、Bluetooth(登録商標)、Wi-Fi Directなど)を使用する近接度ベースのピアツーピア(P2P)通信をサポートしてもよい。そのために、図5は、発見可能なP2Pサービスをサポートすることができる例示的なワイヤレス通信ネットワークまたはWAN500を示す。たとえば、一実施形態では、ワイヤレス通信ネットワーク500は、様々な基地局510と他のネットワークエンティティとを含むLTEネットワークまたは別の適切なWANを備えてもよい。簡単のために、図5には、3つの基地局510a、510bおよび510c、1つのネットワークコントローラ530、ならびに1つのダイナミックホストコンフィギュレーションプロトコル(DHCP)サーバ540のみを示す。基地局510は、デバイス520と通信するエンティティであってもよく、Node B、evolved Node B(eNB)、アクセスポイントなどとも呼ばれることがある。各基地局510は、特定の地理的エリアに対して通信カバレージを実現し得、カバレージエリア内に位置するデバイス520のための通信をサポートし得る。ネットワーク容量を向上させるために、基地局510の全体的なカバレージエリアが複数の(たとえば、3つの)より小さいエリアに区分されてもよく、各々のより小さいエリアがそれぞれの基地局510によってサービスされてもよい。3GPPでは、「セル」という用語は、この用語が使用される状況に応じて、このカバレッジエリアにサービスしている基地局510および/または基地局サブシステム510のカバレッジエリアを指し得る。3GPP2では、「セクタ」または「セルセクタ」という用語は、このカバレッジエリアにサービスしている基地局510および/または基地局サブシステム510のカバレッジエリアを指し得る。明確にするために、本明細書の説明では3GPPの「セル」の概念が使用されることがある。
【００５９】
基地局510は、マクロセル、ピコセル、フェムトセル、および/または他のセルタイプの通信カバレッジを可能にすることができる。マクロセルは、比較的大きい地理的エリア(たとえば、半径数キロメートル)をカバーすることができ、サービスに加入しているデバイス520による無制限アクセスを可能にし得る。ピコセルは、比較的小さい地理的エリアをカバーすることができ、サービスに加入しているデバイス520による無制限アクセスを可能にし得る。フェムトセルは、比較的小さい地理的エリア(たとえば、家庭)をカバーすることができ、フェムトセルとの関連付けを有するデバイス520(たとえば、限定加入者グループ(CSG)中のデバイス)による限定アクセスを可能にし得る。図5に示す例では、ワイヤレスネットワーク500は、マクロセルのためのマクロ基地局510a、510b、および510cを含む。ワイヤレスネットワーク500は、ピコセルのためのピコ基地局510および/またはフェムトセルのためのホーム基地局510(図5には示されていない)も含み得る。
【００６０】
ネットワークコントローラ530は、基地局510のセットに結合することができ、これらの基地局510の調整および制御を行うことができる。ネットワークコントローラ530は、バックホールを介して基地局と通信することができる単一のネットワークエンティティまたはネットワークエンティティの集合であってもよい。また、基地局は、たとえば、直接またはワイヤレスバックホールまたはワイヤラインバックホールを介して間接的に、互いに通信し得る。DHCPサーバ540は、以下に説明するように、P2P通信をサポートすることができる。DHCPサーバ540は、ワイヤレスネットワーク500の一部であっても、またはインターネット接続共有(ICS)を介して実行されるワイヤレスネットワーク500の外部のサーバであっても、またはそれらの任意の適切な組合せであってもよい。DHCPサーバ540は、(図5に示されるように)別個のエンティティであってよく、または、基地局510、ネットワークコントローラ530、もしくは他の何らかのエンティティの一部であってもよい。いずれの場合も、DHCPサーバ540は、ピアツーピアの通信を望むデバイス520によって到達可能であり得る。
【００６１】
デバイス520はワイヤレスネットワーク500全体にわたって分散され得、各デバイス520は固定されてもまたは移動可能であってもよい。デバイス520はまた、ノード、ユーザ機器(UE)、局、移動局、端末、アクセス端末、加入者ユニットなどと呼ばれ得る。デバイス520は、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、スマートフォン、ネットブック、スマートブック、タブレットなどであってよい。デバイス520は、ワイヤレスネットワーク500内の基地局510と通信してもよく、さらに他のデバイス520とピアツーピア通信してもよい。たとえば、図5に示すように、デバイス520aとデバイス520bがピアツーピア通信してもよく、デバイス520cとデバイス520dがピアツーピア通信してもよく、デバイス520eとデバイス520fがピアツーピア通信してもよく、デバイス520gとデバイス520hとデバイス520iがピアツーピア通信し、一方、残りのデバイス520が基地局510と通信してもよい。さらに図5に示すように、デバイス520a、520d、520f、および520hは、たとえば、P2P通信を行っていないときに基地局510と通信するか、または場合によってはP2P通信と同時に基地局510と通信してもよい。
【００６２】
本明細書の説明では、WAN通信は、たとえば別のデバイス520などのリモートエンティティと通話するための、ワイヤレスネットワーク500におけるデバイス520と基地局510との間の通信を指し得る。WANデバイスは、WAN通信に関心を持っているか、WAN通信に関与しているデバイス520である。P2P通信は、基地局510を介さない、2つ以上のデバイス520間の直接通信を指す。P2Pデバイスは、P2P通信に関心を持っているかまたはP2P通信に関与しているデバイス520、たとえば、P2Pデバイスの近傍内の別のデバイス520に関するトラフィックデータを有するデバイス520である。2つのデバイスは、たとえば、各デバイス520が他のデバイス520を検出できる場合、互いに近傍に位置すると見なされてもよい。概して、デバイス520は、別のデバイス520と、P2P通信の場合は直接通信してもよく、WAN通信の場合は少なくとも1つの基地局510を介して通信してもよい。
【００６３】
一実施形態では、P2Pデバイス520間の直接通信はP2Pグループとして構成されてもよい。より詳細には、P2Pグループは概して、P2P通信に関心を持っているか、またはP2P通信に関与している2つ以上のデバイス520のグループを指し、P2Pリンクは、P2Pグループ用の通信リンクを指す。さらに、一実施形態では、P2Pグループは、P2Pグループオーナー(またはP2Pサーバ)と指定される1つのデバイス520と、P2PグループオーナーによってサービスされるP2Pクライアントと指定される1つまたは複数のデバイス520とを含んでもよい。P2Pグループオーナーは、WANとのシグナリングの交換、P2PグループオーナーとP2Pクライアントとの間のデータ送信の調整などのような、いくつかの管理機能を実行することができる。たとえば、図5に示すように、第1のP2Pグループは、基地局510aの対象となるデバイス520aおよび520bを含み、第2のP2Pグループは、基地局510bの対象となるデバイス520cおよび520dを含み、第3のP2Pグループは、異なる基地局510bおよび510cの対象となるデバイス520eおよび520fを含み、第4のP2Pグループは、基地局510cの対象となるデバイス520g、520h、および520iを含む。デバイス520a、520d、520f、および520hは、そのそれぞれのP2PグループにおけるP2Pグループオーナーであってもよく、デバイス520b、520c、520e、520g、および520iは、そのそれぞれのP2PグループにおけるP2Pクライアントであってもよい。図5の他のデバイス520は、WAN通信に関与していてもよい。
【００６４】
実施形態では、P2P通信は、P2Pグループ内でのみ行われ、かつ、P2Pグループに関連するP2PグループオーナーとP2Pクライアントとの間でのみ行われる。たとえば、同じP2Pグループ内の2つのP2Pクライアント(たとえば、デバイス520gおよび520i)が情報を交換することを望む場合、P2Pクライアントの一方がP2Pグループオーナー(たとえば、デバイス520h)に情報を送ってもよく、次いでP2Pグループオーナーが送信を他のP2Pクライアントに中継してもよい。一実施形態では、特定のデバイス520は、複数のP2Pグループに属してもよく、各P2Pグループ内でP2PグループオーナーまたはP2Pクライアントのいずれかとして振る舞ってもよい。さらに、一実施形態では、特定のP2Pクライアントは、1つのP2Pグループのみに属するかまたは複数のP2Pグループに属し、任意の特定の瞬間に複数のP2PグループのいずれかにおけるP2Pデバイス520と通信してもよい。概して、通信は、ダウンリンクおよびアップリンク上での送信を通じて促進され得る。WAN通信では、ダウンリンク(または順方向リンク)は基地局510からデバイス520への通信リンクを指し、アップリンク(または逆方向リンク)はデバイス520から基地局510への通信リンクを指す。P2P通信では、P2PダウンリンクはP2PグループオーナーからP2Pクライアントへの通信リンクを指し、P2PアップリンクはP2PクライアントからP2Pグループオーナーへの通信リンクを指す。いくつかの実施形態では、2つ以上のデバイスが、WAN技法を使用してP2P通信するのではなく、Wi-Fi、Bluetooth(登録商標)、またはWi-Fi Directなどの技法を使用してより小さいP2Pグループを形成してワイヤレスローカルエリアネットワーク(WLAN)上でP2P通信してもよい。たとえば、Wi-Fi、Bluetooth(登録商標)、Wi-Fi Direct、またはその他のWLAN技法を使用するP2P通信では、2つ以上のモバイルフォン、ゲームコンソール、ラップトップコンピュータ、またはその他の適切な通信エンティティ間のP2P通信を可能にすることができる。
【００６５】
図6は、本開示の一態様による、様々なデバイス610、630、640が通信するのに利用することができる近接度ベースの分散バスを確立するために発見可能なP2Pサービスを使用し得る例示的な環境600を示す。たとえば、一実施形態では、ネットワーク化コンピューティング環境におけるアプリケーション間通信を有効化するのに使用されるソフトウェアバスを含んでもよい分散バス625を介したプロセス間通信プロトコル(IPC)フレームワークを使用して単一のプラットフォーム上でのアプリケーション同士などの間の通信を容易にすることができ、この場合、ネットワーク化コンピューティング環境におけるアプリケーション間通信では、各アプリケーションが分散バス625に登録して他のアプリケーションにサービスを提供し、他のアプリケーションが登録されているアプリケーションに関する情報を分散バス625に問い合わせる。そのようなプロトコルは、信号メッセージ(たとえば、通知)がポイントツーポイントメッセージであってもまたはブロードキャストメッセージであってもよく、メソッド呼出しメッセージ(たとえば、RPC)が同期メッセージであってもまたは非同期メッセージであってもよく、分散バス625(たとえば、「デーモン」バスプロセス)が様々なデバイス610、630、640間のメッセージルーティングに対処することができる、非同期通知およびリモートプロシージャ呼出し(RPC)を可能にすることができる。
【００６６】
一実施形態では、分散バス625は、様々なトランスポートプロトコル(たとえば、Bluetooth(登録商標)、TCP/IP、Wi-Fi、CDMA、GPRS、UMTSなど)によってサポートされてもよい。たとえば、一態様によれば、第1のデバイス610は、分散バスノード612と1つまたは複数のローカルエンドポイント614とを含んでもよく、分散バスノード612は、第1のデバイス610に関連するローカルエンドポイント614と第2のデバイス630および第3のデバイス640に関連するローカルエンドポイント634および644との間の、分散バス625を通じた(たとえば、第2のデバイス630および第3のデバイス640上の分散バスノード632および642を介した)通信を容易にすることができる。図7を参照しながら以下にさらに詳細に説明するように、分散バス625は、対称的マルチデバイスネットワークトポロジーをサポートしてもよく、デバイスドロップアウトの存在下でロバストな動作を可能にしてもよい。したがって、仮想分散バス625は、概して任意の下位トランスポートプロトコル(たとえば、Bluetooth(登録商標)、TCP/IP、Wi-Fiなど)とは無関係であってもよく、非セキュア(たとえば、オープン)からセキュア(たとえば、認証または暗号化)まで様々なセキュリティオプションを実現することができ、セキュリティオプションは、第1のデバイス610、第2のデバイス630、および第3のデバイス640間の自発的な接続を容易にしつつ、様々なデバイス610、630、640が互いの範囲に入るかまたは互いに近接したときに介入せずに使用され得る。
【００６７】
図7は、本開示の一態様による、第1のデバイス(「デバイスA」)710および第2のデバイス(「デバイスB」)730が通信するのに利用することができる近接度ベースの分散バスを確立するために発見可能なP2Pサービスを使用し得る例示的なメッセージシーケンス700を示す。概して、デバイスAは、デバイスBとの通信を要求してもよく、デバイスAは、そのような通信を容易にするのを助けることができるバスノード712に加えて通信の要求を出し得るローカルエンドポイント714(たとえば、ローカルアプリケーション、サービスなど)を含んでもよい。さらに、デバイスB 730は、ローカルエンドポイント714が、デバイスA 710上のローカルエンドポイント714とデバイスB 730上のローカルエンドポイント734との間の通信を容易にするのを助けることができるバスノード732に加えて通信を試み得るローカルエンドポイント734を含んでもよい。
【００６８】
一実施形態では、メッセージシーケンスステップ754において、バスノード712および732は適切な発見機構を実行してもよい。たとえば、Bluetooth(登録商標)、TCP/IP、UNIX(登録商標)などによってサポートされる接続を発見するための機構が使用されてもよい。メッセージシーケンスステップ756において、デバイスA 710上のローカルエンドポイント714は、バスノード712を通じて利用可能なエンティティ、サービス、エンドポイントなどに接続することを要求してもよい。一実施形態では、この要求は、ローカルエンドポイント714とバスノード712との間の要求応答プロセスを含んでもよい。メッセージシーケンスステップ758において、分散メッセージバスが、バスノード712をバスノード732に接続し、それによってデバイスA 710とデバイスB 730との間のP2P接続を確立するように形成されてもよい。一実施形態では、バスノード712とバスノード732との間に分散バスを形成するための通信は、近接度ベースのP2Pプロトコル(たとえば、接続された製品間の相互運用性を実現するように設計されたAllJoyn(登録商標)ソフトウェアフレームワークおよび近位ネットワークを動的に作成し近位P2P通信を容易にするための様々な製造業者によるソフトウェアアプリケーション)を使用して容易にされてもよい。代替として、一実施形態では、サーバ(図示せず)はバスノード712とバスノード732との間の接続を容易にしてもよい。さらに、一実施形態では、バスノード712とバスノード732との間に接続を形成する前に適切な認証機構が使用されてもよい(たとえば、クライアントが認証コマンドを送って認証対話を開始することができるSASL認証)。さらに、メッセージシーケンスステップ758の間、バスノード712および732は、利用可能な他のエンドポイント(たとえば、図6のデバイスC 640上のローカルエンドポイント644)に関する情報を交換してもよい。そのような実施形態では、バスノードが維持する各ローカルエンドポイントが他のバスノードに通知されてもよく、この通知は、一意のエンドポイント名、トランスポートタイプ、接続パラメータ、または他の適切な情報を含んでもよい。
【００６９】
一実施形態では、メッセージシーケンスステップ760において、バスノード712およびバスノード732は、それぞれローカルエンドポイント734および714に関連する得られた情報を使用して、様々なバスノードを通じて利用可能な得られた実エンドポイントを表すことのできる仮想エンドポイントを作成してもよい。一実施形態では、バスノード712上のメッセージルーティングでは、実エンドポイントおよび仮想エンドポイントを使用してメッセージを送信してもよい。さらに、リモートデバイス(たとえば、デバイスA 710)上に存在するあらゆるエンドポイントに1つのローカル仮想エンドポイントがあってもよい。さらに、そのような仮想エンドポイントは、分散バス(たとえば、バスノード712とバスノード732との間の接続)を介して送られたメッセージを多重化しならびに/あるいは多重化解除してもよい。一態様では、仮想エンドポイントは、実エンドポイントと同様にローカルバスノード712または732からメッセージを受信してもよく、分散バスを介してメッセージを転送してもよい。したがって、仮想エンドポイントは、エンドポイント多重化分散バス接続からローカルバスノード712および732へメッセージを転送してもよい。さらに、一実施形態では、リモートデバイス上の仮想エンドポイントに対応する仮想エンドポイントは、任意の時点で特定のトランスポートタイプの所望のトポロジーに対処するように再接続されてもよい。そのような態様では、UNIX(登録商標)ベースの仮想エンドポイントは、ローカルと見なされることがあり、したがって、再接続の候補とは見なされないことがある。さらに、TCPベースの仮想エンドポイントは、1つのホップルーティングに関して最適化されてもよい(たとえば、各バスノード712および732は互いに直接接続されてもよい)。さらに、Bluetooth(登録商標)ベースの仮想エンドポイントは、Bluetooth(登録商標)ベースのマスタがローカルマスタノードと同じバスノードであってもよい単一ピコネット(たとえば、1つのマスタおよびn個のスレーブ)に関して最適化されてもよい。
【００７０】
メッセージシーケンスステップ762において、バスノード712とバスノード732は、762においてバス状態情報を交換してバスインスタンス同士をマージし、分散バスを介した通信を可能にしてもよい。たとえば、一実施形態では、バス状態情報は、周知の一意のエンドポイント名マッピング、整合規則、ルーティンググループ、または他の適切な情報を含んでもよい。一実施形態では、状態情報は、分散バスベースのローカル名と通信するローカルエンドポイント714および734とのインターフェースを使用してバスノード712インスタンスとバスノード732インスタンスとの間で伝達されてもよい。別の態様では、バスノード712およびバスノード732の各々は、分散バスへのフィードバックを可能にする役割を果たすローカルバスコントローラを維持してもよく、バスコントローラは、グローバルメソッド、引数、信号、およびその他の情報を分散バスに関連する規格に変換してもよい。メッセージシーケンスステップ764において、バスノード712およびバスノード732は、上述のようなバスノードノード接続の間に導入されるあらゆる変化に関してそれぞれのローカルエンドポイント714および734に通知する信号を伝達(たとえば、ブロードキャスト)してもよい。一実施形態では、新しいおよび/または削除されたグローバル名および/または変換後の名前が、名前オーナー変更後信号によって示されてもよい。さらに、(たとえば、名前衝突に起因して)ローカルに失われることがあるグローバル名が名前喪失信号によって示されてもよい。さらに、名前衝突に起因して転送されるグローバル名が名前オーナー変更後信号によって示されてもよく、バスノード712およびバスノード732が切り離された場合および/またはときに消える一意の名前が名前オーナー変更後信号によって示されてもよい。
【００７１】
上記に使用されたように、周知の名前を使用してローカルエンドポイント714および734を一意に記述してもよい。一実施形態では、デバイスA 710とデバイスB 730との間で通信が行われるとき、異なる周知の名前タイプが使用されてもよい。たとえば、バスノード712が直接接続されるデバイスA 710に関連するバスノード712上にのみデバイスローカル名が存在してもよい。別の例では、すべての既知のバスノード712および732上にグローバル名が存在してもよく、すべてのバスセグメント上に存在してもよい名前のオーナーは1人だけである。言い換えれば、バスノード712とバスノード732が連結され、衝突が起こると、オーナーのうちの1人がグローバル名を失うことがある。さらに別の例では、クライアントが仮想バスに関連する他のバスノードに接続されるときに変換後の名前が使用されてもよい。そのような態様では、変換後の名前はアペンデッドエンドを含んでもよい(たとえば、グローバルに一意の識別子「1234」を有する分散バスに接続された周知の名前「org.foo」を有するローカルエンドポイント714は「G1234.org.foo」と見なされてもよい)。
【００７２】
メッセージシーケンスステップ766において、バスノード712およびバスノード732は、エンドポイントバストポロジーの変更について他のバスノードに通知するための信号を伝達(たとえば、ブロードキャスト)してもよい。その後、ローカルエンドポイント714からのトラフィックは、仮想エンドポイントを通過してデバイスB 730上の意図されるローカルエンドポイント734に達してもよい。さらに、動作中に、ローカルエンドポイント714とローカルエンドポイント734との間の通信はルーティンググループを使用してもよい。一態様では、ルーティンググループは、エンドポイントが信号、メソッド呼出し、またはエンドポイントのサブセットからの他の適切な情報を受信するのを可能にしてもよい。したがって、ルーティング名は、バスノード712または732に接続されたアプリケーションによって決定されてもよい。たとえば、P2Pアプリケーションは、アプリケーションに組み込まれた一意で周知のルーティンググループ名を使用してもよい。さらに、バスノード712および732は、ローカルエンドポイント714および734のルーティンググループへの登録および/または登録解除をサポートしてもよい。一実施形態では、ルーティンググループは、現在のバスインスタンスよりも後のインスタンスまで持続しなくてもよい。別の態様では、アプリケーションは、分散バスに接続するたびにアプリケーションの好ましいルーティンググループの登録をしてもよい。さらに、グループはオープンであっても(たとえば、任意のエンドポイントが参加してよい)またはクローズドであっても(たとえば、グループの作成者がグループを修正してもよい)よい。さらに、バスノード712または732は、他のリモートバスノードにルーティンググループエンドポイントの追加、削除、またはその他の変更を通知するための信号を送ってもよい。そのような実施形態では、バスノード712または732は、グループにメンバーが追加されならびに/あるいはグループからメンバーが削除されたときはいつでも他のグループメンバーにルーティンググループ変更信号を送ってもよい。さらに、バスノード712または732は、最初にルーティンググループから削除されることなく分散バスから切り離されるエンドポイントにルーティンググループ変更信号を送ってもよい。
【００７３】
IoTは重要な業界トレンドである。しかし、既存のIoTソリューションと新規のIoTソリューションは、統合されておらず、共通のインターフェースもプロトコルも共有していない。相互接続することが必要になることがある多数のIoTデバイスおよびフォーマットがある。たとえば、ユーザがカーラジオをスマートフォンおよびオーディオプレーヤに接続したくなることがある。クロスコミュニケーションが必要であるだけでなく、さらなるミッシングリンクもある。デバイス間で情報を転送するだけでは十分ではなく、アプリケーション論理およびユーザ入力を組み込むことが必要になる。
【００７４】
したがって、本開示では、ユーザ対話型アプリケーション対応ゲートウェイを実現するワイヤレス相互接続性デバイス、すなわち「キューブ」を提供する。キューブは、近接サービス、通知、アドホックネットワーキング、オーディオストリーミング、アドバンストオーディオディストリビューションプロファイル(A2DP)パイプサービス、テキスト音声(TTS)サービス、制御サービス、および/または認証サービスなどのいくつかのIoTサービスをサポートすることができる。キューブは、ゲートウェイ機能を実現することができるが、単なる変換器ではなく、むしろアプリケーション変換器であり、変換機能を導くためのユーザ入力を可能にする。キューブは、IoTネットワークと様々な製造業者から得られならびに/あるいは様々なオペレーティングシステムを実行するデバイスとの間のブリッジインターフェースを実現することができる。キューブは、それぞれに異なるIoTデバイスが互いに通信するのを可能にするためのアドホックローカルワイヤレスネットワークを作成することができる。ローカルワイヤレスネットワークは、たとえば、WiFiネットワーク、WiFiダイレクトネットワーク、LTEダイレクトネットワーク、Bluetooth(登録商標)ネットワークなどであってもよい。
【００７５】
ユーザが自分のパーソナルネットワークにIoTデバイスを追加するかまたはIoTデバイスに電源を投入する際、そのデバイスをキューブに登録することができる。登録時には、近接サービスを使用して、この新しいIoTデバイスがまずキューブを発見し、ならびに/あるいはキューブがこの新しいIoTデバイスを発見してもよい。本開示では、各IoTデバイスは、同じ部屋または同じ車両内にある場合互いに「近接している」と見なされ、このことを認証することができる。デバイスは、特定の音声をブロードキャストし、特定の応答をリッスンすることによって近接するデバイスを識別してもよい。デバイスは、特定のブロードキャストサウンドをリッスンし、ブロードキャストしているデバイスに特定の応答を与えてもよい。近接は、上記のことに加えてまたは上記のことの代わりに、デバイスがキューブに近接し、かつ同じサービスおよびアプリケーションに関して同じキューブに接続された他のデバイスに近接していることを含むように定義されてもよい。このようにして、様々なデバイスおよびユーザが関与する場合、デバイスは、キューブおよび他の参加者の近くに位置する場合に近接している。
【００７６】
IoTデバイスおよびキューブが互いを発見した後、新しいIoTデバイスがキューブに接続されてもよい。キューブは、他のIoTデバイスと通信するためにWiFiアクセスポイントなどのローカルワイヤレスネットワークアクセスポイントとして働いてもよい。IoTデバイスは、接続された後、キューブに登録してもよく、この登録には、キューブにIoTデバイスの機能情報を供給することを含めてもよい。キューブは、ユーザのIoTネットワーク上のすべてのIoTデバイスの機能情報を記憶してもよい。
【００７７】
ある時点で、ユーザがユーザのIoTネットワークによってあるタスクを実行するかまたはユーザのIoTネットワークからある情報を取り込むことを望むことがある。ユーザは、キューブにアクセスしてもよく、キューブは、IoTネットワークが実行できる様々なタスクを表示するか、またはIoTネットワークが提供できる様々な情報を表示してもよい。たとえば、IoTネットワークは、一体化された温度計を有する時計(IoTネットワーク内の第1のIoTデバイス)および周囲温度を検出することもできるビデオカメラ(IoTネットワーク内の第2のIoTデバイス)を含んでもよい。その場合、キューブは、ユーザがビデオを撮影するかまたは現在の室内温度を発見することができることを示すアイコンを表示してもよい。たとえば、ユーザが温度アイコンを選択した場合、キューブは、時計またはビデオカメラのいずれかと通信して現在の温度を取り込んでもよい。ユーザは、キューブがこの情報をどのデバイスから取り込むかを知る必要はない。キューブは次いで、取り込まれた温度をユーザに表示してもよい。代替的に、たとえば、ユーザの要求時に、キューブは取り込まれた温度をユーザのスマートフォンなどの別のIoTデバイスに送ってもよい。
【００７８】
キューブは他の機能を実現してもよい。以下の説明では、キューブを使用して車両においてプレイリストを共有する例を示す。多くの車両は、オーディオジャックおよび/またはBluetooth(登録商標)などの、オーディオシステムとの様々な接続性オプションを有する。現在、車両オーディオシステムは単一のデバイスしかサポートしない。しかし、各々がスマートフォンまたはメディアプレーヤおよび車両のオーディオシステムを介してかけたい曲のプレイリストを有する数人の人が車両内にいることがある。
【００７９】
図8は、キューブ810を使用してプレイリストを車両オーディオシステム820と共有するための例示的なシステム構成を示す図である。ホスト830は、たとえば、WiFiを介してキューブ810に接続されてもよい。キューブ810は、たとえば、Bluetooth(登録商標)を介して車両オーディオシステム820に接続されてもよい。参加者842、844、および846は、たとえば、WiFiを介してキューブ810に接続されてもよい。ホスト830は、キューブ810の所有者または運営者などの、キューブ810にアクセスできるユーザであってもよい。ホスト830は、車両オーディオシステム820の所有者および/または運営者である必要はないが、そうであってもよい。
【００８０】
図9Aおよび図9Bは、キューブ810を使用してプレイリストを車両オーディオシステム820と共有するための例示的なフローを示す図である。図9Aを参照すると、910において、キューブ810はアプリケーションを起動して車両オーディオシステム820と通信する。アプリケーションのダウンロードおよびキューブ810上へのインストールがまだなされていない場合、ホスト830は、キューブ810にまだ電源が投入されていない場合はキューブ810に電源を投入し、次いでアプリケーションをダウンロードしインストールする。アプリケーションがまだキューブ810上にインストールされていない場合、ホスト830は、たとえば、キューブ810上の利用可能なアプリケーションのリストをスクロールすることによって、車両オーディオシステムアプリケーションを選択してもよい。ホスト830は次いで、キューブ810によって確立されたローカルワイヤレスネットワークを使用して自分のUEをキューブ810に接続する。図8、図9A、および図9Bの例では、ローカルワイヤレスネットワークはWiFiネットワークである。
【００８１】
920において、キューブ810は車両オーディオシステム820に接続してもよい。車両オーディオシステム820は、発見可能なローカルワイヤレスネットワークを有してもよい。図8、図9A、および図9Bの例では、ローカルワイヤレスネットワークはBluetooth(登録商標)ネットワークである。ホスト830は、キューブ810と車両オーディオシステム820のローカルワイヤレスネットワークをペアリングしてもよい。ペアリングの間、キューブ810は、キューブ810が車両オーディオシステム820のローカルワイヤレスネットワークに接続しているという通知を表示してもよい。
【００８２】
図9Bを参照すると、930において、参加者842、844、および846は、そのUE上で車両オーディオシステムアプリケーションを起動し、キューブ810に接続してもよい。参加者842、844、および846は、車両オーディオシステムアプリケーションのダウンロードおよびインストールがまだなされていない場合には車両オーディオシステムアプリケーションをダウンロードしインストールしてもよい。キューブ810および参加者842、844、および846のUEは、リッスンロケーション(LILO)近接チェックなどの近接チェックを実行して、参加者が互いに近接していると判定してもよい。LILOは、音声が1つのデバイスによって放出され、1つまたは複数の他のデバイスによって検出される機構である。
【００８３】
参加者842、844、および846のUEは、互いを発見した後、キューブ810が910において確立したローカルワイヤレスネットワークを介してキューブ810に接続してもよい。参加者842、844、および846のUEは、上記に図5〜図7を参照して説明したP2PプロトコルなどのP2Pプロトコルを使用してキューブ810に接続してもよい。ホスト830は、参加者842、844、および846がたとえばキューブ810のユーザインターフェースを介してキューブ810のローカルワイヤレスネットワークに接続するのを個別に許可してもよく、または接続を試みるすべての参加者を許可してもよい。ホスト830のUEは、参加者842、844、および846がいつ参加するかおよび/または参加者842、844、および846のちの誰が参加するかについての通知を表示してもよく、車両オーディオシステム820のテキスト音声(TTS)システムが利用可能な場合、テキスト音声システムは、参加する参加者842、844、および846の名前を発表してもよい。参加者842、844、および846は、接続後、キューブ810上でプロファイルを作成してもよい。
【００８４】
940において、ホスト830および参加者842、844、および846はそのそれぞれのプレイリストを共有してもよい。キューブ810は、参加者842、844、および846およびホスト830が曲を追加することのできるグローバルプレイリストを作成してもよい。参加者842、844、および846ならびにホスト830のUEは、グローバルプレイリストを表示し、要求された曲のキューに曲を追加し、グローバルプレイリストに曲が追加されたことについての通知を見てもよい。ホスト830は、自分のUEを介して、要求された曲のキュー内のどの曲がプレイリストに追加されるかを制御すること、曲をスキップすること、曲を停止することなどによって、グローバルプレイリストを管理してもよい。ホスト830は、キューブ810を介して車両オーディオシステム820の音量を調節してもよい。キューブ810は、グローバルプレイリスト上の曲を様々な参加者842、844、および846から受信して車両オーディオシステム820にストリーミングしてもよい。一例として、キューブ810は、プレイリスト上の曲を受信しリアルタイムで車両オーディオシステム820にストリーミングしてもよく、または所与の数の曲を一度にバッファし、次いでリアルタイムで車両オーディオシステム820にストリーミングしてもよい。車両オーディオシステム820は、曲をかけてもよく、今からどの曲をかけるのかを車両オーディオシステム820のTTSシステムを使用して発表してもよい。
【００８５】
このようにして、複数のデバイスが統合して単一のグローバルデバイスを形成してもよく、その場合、キューブ810において複数のプレイリストが単一のグローバルプレイリストとして連結される。このグローバルプレイリストは次いで、単一のエンティティとしてアドレス指定可能であり、それによってデバイスの独立セット(すなわち、ホスト830および参加者842、844、および846)の新しい表示が可能になる。
【００８６】
図10は、本開示の様々な実施形態による、複数のユーザデバイス間の相互接続性を実現するための例示的なフローを示す図である。ユーザデバイスはIoTデバイスであってもよい。図8、図9A、および図9Bにおけるキューブ810などのワイヤレス相互接続性デバイスは、図10に示すフローを実行してもよい。
【００８７】
図10のフローでは、第1のユーザデバイスを含む1つまたは複数のユーザデバイスが第2のユーザデバイスにアクセスすることを望むことがある。しかし、第2のユーザデバイスは、第2のユーザデバイスに一度にアクセスできるユーザデバイスが1つだけであるようなユーザデバイスであってもよい。代替または追加として、第1のユーザデバイスおよび第2のユーザデバイスを含む1つまたは複数のユーザデバイスは、互いに互換性を有さなくてもよい。したがって、ワイヤレス相互接続性デバイスはこれらのユーザデバイス間の相互接続性を実現することができる。第3のユーザデバイスのユーザは、ワイヤレス相互接続性デバイスによって実行される動作を管理してもよい。
【００８８】
1010において、ワイヤレス相互接続性デバイスは、第1のユーザデバイスを含む1つまたは複数のユーザデバイスを発見してもよい。ワイヤレス相互接続性デバイスは、近接デバイスを検出するためのアプリケーションを使用して1つまたは複数のユーザデバイスを発見してもよい。第1のユーザデバイスを含む1つまたは複数のユーザデバイスは、同様の近接検出アプリケーションを使用するワイヤレス相互接続性デバイスを発見してもよい。
【００８９】
1020において、ワイヤレス相互接続性デバイスは、ローカルワイヤレスネットワークを確立し、第1のユーザデバイスを含む1つまたは複数のユーザデバイスに接続してもよい。1つまたは複数のユーザデバイスおよびワイヤレス相互接続性デバイスは、P2Pプロトコルを使用してローカルワイヤレスネットワークを介して互いに接続してもよい。1つまたは複数のユーザデバイスは、ダウンロードされたアプリケーションを利用してワイヤレス相互接続性デバイスにアクセスしてもよい。
【００９０】
1030において、ワイヤレス相互接続性デバイスは、第2のユーザデバイスに接続してもよい。ワイヤレス相互接続性デバイスは、1020において確立されたローカルワイヤレスネットワークとは異なるローカルワイヤレスネットワークまたは異なる種類のローカルワイヤレスネットワークを使用して第2のユーザデバイスに接続してもよい。たとえば、1020において、ワイヤレス相互接続性デバイスは、第1のWiFiネットワークを確立してもよく、一方、1030において、ワイヤレス相互接続性デバイスは、第2のWiFiネットワークを介して第2のユーザデバイスに接続してもよい。別の例として、1020において、ワイヤレス相互接続性デバイスは、WiFiネットワークまたはWiFiダイレクトネットワークを確立してもよく、一方、1030において、ワイヤレス相互接続性デバイスは、Bluetooth(登録商標)接続を介して第2のユーザデバイスに接続してもよい。第3のユーザデバイスのユーザは、ワイヤレス相互接続性デバイスに第2のユーザデバイスに接続するよう命令してもよい。
【００９１】
図10は、ワイヤレス相互接続性デバイスが、1つまたは複数のユーザデバイスを発見し(ブロック1010)、ローカルワイヤレスネットワークを確立して1つまたは複数のユーザデバイスに接続し(ブロック1020)、その後第2のユーザデバイスに接続する(1030)ことを示しているが、ワイヤレス相互接続性デバイスは、これらの動作を逆の順序で実行してもよく、すなわち、ブロック1030を実行し、その後ブロック1010および1020を実行するか、または各ブロックを実質的に同時に実行してもよい。
【００９２】
1040において、ワイヤレス相互接続性デバイスは、第1のユーザデバイスから第2のユーザデバイスにデータを転送するための要求を第1のユーザデバイスから受信してもよい。
【００９３】
1050において、ワイヤレス相互接続性デバイスは、ユーザが、第1のユーザデバイスから第2のユーザデバイスにデータを転送するための許可を第3のユーザデバイスを介して与えられているか否かを判定してもよい。第3のユーザデバイスは、1020において第1のユーザデバイスがワイヤレス相互接続性デバイスに接続するのを許可することによって第1のユーザデバイスからワイヤレス相互接続性デバイスにデータを転送するための許可を与えることができる。代替的に、第3のユーザデバイスは、第1のユーザデバイスからワイヤレス相互接続性デバイスによって受信されるデータを転送するための各要求に基づいて第1のユーザデバイスからワイヤレス相互接続性デバイスにデータを転送するための許可を与えるかまたは拒否することができる。
【００９４】
1060において、第3のユーザデバイスが許可を与えている場合、ワイヤレス相互接続性デバイスは第1のユーザデバイスから第2のユーザデバイスにデータを転送してもよい。場合によっては、1070において、第3のユーザデバイスが許可を与えていない場合、要求は拒否される。
【００９５】
図10には示されていないが、ワイヤレス相互接続性デバイスは、1つまたは複数のユーザデバイスのうちの第4のユーザデバイスから第2のユーザデバイスにデータを転送するための要求を第4のユーザデバイスから受信してもよい。ワイヤレス相互接続性デバイスは、第3のユーザデバイスが、第4のユーザデバイスから第2のユーザデバイスにデータを転送するための許可を与えているか否かを判定してもよい。第3のユーザデバイスが許可を与えている場合、ワイヤレス相互接続性デバイスは第4のユーザデバイスから第2のユーザデバイスにデータを転送してもよい。第3のユーザデバイスは、データが第1のユーザデバイスおよび第4のユーザデバイスから第2のユーザデバイスに転送される順序を制御してもよい。ワイヤレス相互接続性デバイスは、第1のユーザデバイスから転送されたデータおよび第4のユーザデバイスから転送されたデータを含むグローバルプレイリストを作成してもよい。グローバルプレイリストは、単一のエンティティとしてアドレス指定可能であってもよく、第1のユーザデバイスおよび第4のユーザデバイスの表示を可能にしてもよい。
【００９６】
図11は、図8におけるキューブ810などの例示的なワイヤレス相互接続性デバイス1100を示す。ワイヤレス相互接続性デバイス1100は、ディスプレイ1105と、タッチスクリーンおよび/またはキーパッド1110と、スピーカ1115と、マイクロフォン1120とを含んでもよい。ワイヤレス相互接続性デバイス1100は、他のIoTデバイスを発見しそれらのIoTデバイスと通信するための2つ以上のトランシーバを含んでもよい。図11の例では、ワイヤレス相互接続性デバイス1100は、第1のトランシーバ1125と、第2のトランシーバ1130とを含んでもよく、場合によっては、第3のトランシーバ1135および/または第4のトランシーバ1140などの任意の数の追加のトランシーバを含んでもよい。トランシーバ1125〜1140は、たとえば、WiFiネットワーク、WiFiダイレクトネットワーク、LTEダイレクトネットワーク、Bluetooth(登録商標)ネットワークなどのローカルワイヤレスネットワーク用のトランシーバであってもよい。ある種類のローカルワイヤレスネットワークには少なくとも1つのトランシーバがあり、別の種類のネットワークには別のトランシーバがあるべきである。図11の例では、トランシーバ1125〜1140のうちの2つはある種類のローカルワイヤレスネットワーク用のトランシーバであってもよく、他の2つのトランシーバ1125〜1140は、別の種類のローカルワイヤレスネットワーク用のトランシーバであってもよい。たとえば、トランシーバ1125および1135はWiFiトランシーバであってもよく、一方、トランシーバ1130および1140はBluetooth(登録商標)トランシーバであってもよい。
【００９７】
ワイヤレス相互接続性デバイス1100はまた、電源1145と加速度計1150とを含むことができる。電源1145は、WiPowerワイヤレス電源などのワイヤレス電源であってもよい。ワイヤレス相互接続性デバイス1100はまた、メモリ1155とプロセッサ1160とを含むことができる。メモリ1155はROM、RAM、EEROM、フラッシュカード、またはコンピュータプラットフォームに共通する任意のメモリであってもよい。
【００９８】
ディスプレイ1105、タッチスクリーン/キーパッド1110、スピーカ1115、マイクロフォン1120、トランシーバ1125〜1140、メモリ1155、およびプロセッサ1160をすべて協働的に使用して、本明細書で開示する様々な機能をロード、記憶および実行することができ、したがって、これらの機能を実行するための論理は様々な要素に分散され得る。代替的には、機能は1つの個別の構成要素に組み込むことができる。
【００９９】
したがって、本開示の一態様は、本明細書で説明する機能を実行する能力を含むワイヤレス相互接続性デバイス(たとえば、ワイヤレス相互接続性デバイス1100)を含み得る。当業者によって諒解されるように、様々な論理要素は、本明細書で開示する機能を達成するために、個別の要素、プロセッサ(たとえば、プロセッサ1160)上で実行されるソフトウェアモジュール、またはソフトウェアとハードウェアとの任意の組合せにおいて具現され得る。たとえば、第1および第2のトランシーバ1125および1130、プロセッサ1160、メモリ1155、および/またはタッチスクリーン/キーパッド1110をすべて協働的に使用して、本明細書で開示する様々な機能をロード、記憶、ならびに実行することができ、したがって、これらの機能を実行するための論理は様々な要素に分散され得る。代替的には、機能は1つの個別の構成要素に組み込むことができる。したがって、図11のワイヤレス相互接続性デバイス1100の特徴は単に例示であると見なされるべきであり、本開示は図示される特徴または構成に限定されない。
【０１００】
たとえば、ワイヤレス相互接続性デバイスは複数のユーザデバイス間の相互接続性を実現する場合、第1または第2のトランシーバ1125または1130は複数のユーザデバイスのうちの第1のユーザデバイスを発見することができる。第1および第2のトランシーバ1125および1130のうちの他方は、複数のユーザデバイスのうちの第2のユーザデバイスを発見してもよい。第1および第2のトランシーバ1125および1130のうちの一方、たとえば、第1のトランシーバ1125は、WiFiネットワークなどの第1のローカルワイヤレスネットワークを介して第1のユーザデバイスに接続してもよい。第1および第2のトランシーバ1125および1130のうちの他方、たとえば、第2のトランシーバ1130は、Bluetooth(登録商標)ネットワークなどの第2のローカルワイヤレスネットワークを介して第2のユーザデバイスに接続してもよい。プロセッサ1160は、第1のトランシーバ1125を介して、第1のユーザデバイスから第2のユーザデバイスにデータを転送するための要求を第1のユーザデバイスから受信してもよい。プロセッサ1160は、第3のユーザデバイスが、第1のユーザデバイスから第2のユーザデバイスにデータを転送するための許可を与えているか否かを判定してもよい。一態様では、第3のユーザデバイスは、第1のローカルワイヤレスネットワークを介してワイヤレス相互接続性デバイスに接続されてもよく、プロセッサ1160は、第1のトランシーバ1125を介して第3のユーザデバイスから許可を受信してもよい。プロセッサ1160、メモリ1155、ならびに第1および第2のトランシーバ1125および1130は、第3のユーザデバイスが第1のユーザデバイスから第2のユーザデバイスにデータを転送するための許可を与えていることに基づいて、協働的に第1のユーザデバイスから第2のユーザデバイスにデータを転送してもよい。
【０１０１】
情報および信号が多種多様な異なる技術および技法のいずれかを使用して表すことができることを、当業者は理解されよう。たとえば上記説明全体を通して参照することができるデータ、命令、指令、情報、信号、ビット、記号およびチップは、電圧、電流、電磁波、磁界または粒子、光学場または粒子、あるいはそれらの任意の組合せによって表すことができる
【０１０２】
さらに、本明細書で開示する態様に関連して説明した様々な例示的な論理ブロック、モジュール、回路、およびアルゴリズムステップは、電子ハードウェア、コンピュータソフトウェア、または両方の組合せとして実装され得ることを当業者は理解されよう。ハードウェアおよびソフトウェアのこの互換性を明確に示すために、様々な例示的な構成要素、ブロック、モジュール、回路、およびステップは、一般的にそれらの機能性に関してこれまで説明されてきた。そのような機能性がハードウェアとして実現されるか、またはソフトウェアとして実現されるかは、具体的な適用例および全体的なシステムに課される設計制約によって決まる。当業者は、説明される機能を具体的な応用形態ごとに様々な方法で実現することができるが、そのような実現の決定は、本開示の範囲からの逸脱を生じるものと解釈されるべきではない。
【０１０３】
本明細書に開示する態様と関連して説明する様々な例示的な論理ブロック、モジュール、および回路は、汎用プロセッサ、デジタル信号プロセッサ(DSP)、特定用途用集積回路(ASIC)、フィールドプログラマブルゲートアレイ(FPGA)もしくは他のプログラマブルロジックデバイス、個別のゲートもしくはトランジスタロジック、個別のハードウェア部品、または本明細書に記載した機能を行うように設計されたこれらの任意の組合せを用いて、実装または実行され得る。汎用プロセッサを、マイクロプロセッサとすることができるが、代替案では、プロセッサを、任意の従来のプロセッサ、コントローラ、マイクロコントローラ、または状態機械とすることができる。プロセッサはまた、コンピューティングデバイスの組合せ(たとえば、DSPおよびマイクロプロセッサの組合せ、複数のマイクロプロセッサ、DSPコアと連携する1つもしくは複数のマイクロプロセッサ、または任意の他のそのような構成)として実装され得る。
【０１０４】
本明細書において開示する態様に関連して説明した方法、シーケンス、および/またはアルゴリズムは、ハードウェアで、プロセッサによって実行されるソフトウェアモジュールで、またはその2つの組合せで直接具現され得る。ソフトウェアモジュールは、RAM、フラッシュメモリ、ROM、EPROM、EEPROM、レジスタ、ハードディスク、リムーバブルディスク、CD-ROM、または当技術分野で知られている任意の他の形態の記憶媒体内に存在し得る。例示的な記憶媒体は、プロセッサが記憶媒体から情報を読取り、そこに情報を書込みできるようにプロセッサに結合される。代替案では、記憶媒体は、プロセッサに一体とされ得る。プロセッサおよび記憶媒体は、ASIC内に存在し得る。ASICはIoTデバイス内に存在し得る。代替として、プロセッサおよび記憶媒体は、ユーザ端末内に個別の構成要素として存在し得る。
【０１０５】
1つまたは複数の例示的な態様では、述べられる機能は、ハードウェア、ソフトウェア、ファームウェア、またはそれらの任意の組合せで、実施され得る。ソフトウェアに実装される場合、機能は、1つまたは複数の命令またはコードとして、コンピュータ可読媒体上に記憶されるか、または、コンピュータ可読媒体を介して送信される場合がある。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできるすべての使用可能な媒体とすることができる。限定ではなく例として、そのようなコンピュータ可読媒体は、RAM、ROM、EEPROM、CD-ROMもしくは他の光ディスク(disc)ストレージ、磁気ディスク(disk)ストレージもしくは他の磁気ストレージデバイス、あるいは命令もしくはデータ構造の形で所望のプログラムコードを担持しまたは記憶するのに使用でき、コンピュータによってアクセスできる任意の他の媒体を含むことができる。また、任意の接続は、適切にコンピュータ可読媒体と呼ばれる。たとえば、同軸ケーブル、光ファイバケーブル、ツイストペア、DSL、または赤外線、無線、およびマイクロ波などのワイヤレス技術を使用して、ウェブサイト、サーバ、または他のリモートソースからソフトウェアが送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザディスク(disc)、光ディスク(disc)、DVD、フロッピーディスク(disk)およびBlu-ray(登録商標)ディスク(disc)を含み、ディスク(disk)は、通常、データを磁気的に再生し、ディスク(disc)は、データをレーザで光学的に再生する。前述の組合せも、コンピュータ可読媒体の範囲内に含まれるべきである。
【０１０６】
上記の開示は本開示の例示的な態様を示すが、添付の特許請求の範囲によって規定される本開示の範囲から逸脱することなく、本明細書で様々な変更および修正が行われ得ることに留意されたい。本明細書で説明した本開示の態様による方法クレームの機能、ステップおよび/または動作は、特定の順序で実施される必要はない。さらに、本開示の要素は、単数形で記載または特許請求されている場合があるが、単数形に限定することが明示的に述べられていない限り、複数形が考えられる。
【符号の説明】
【０１０７】
100A、100B、100C  ワイヤレス通信システム
105  受動IoTデバイス
108  エアインターフェース
109  直接有線接続
110  テレビジョン、IoTデバイス
112  屋外空調機、IoTデバイス
114  温度自動調整器、IoTデバイス
116  冷蔵庫、IoTデバイス
116A、116B  IoTデバイス
118  洗濯機および乾燥機、IoTデバイス
120  コンピュータ
122A、122B  IoTデバイス
124A、124B  IoTデバイス
125  アクセスポイント
130  IoTマネージャ、スーパーバイザデバイス
140、140A、140B  IoT SuperAgent
145  ゲートウェイ機能
152  アプリケーションレイヤ
154  CMPレイヤ
156  トランスポートレイヤ
158  物理レイヤ
160  IoTグループ、IoTデバイスグループ
160A、160B  IoTデバイス
170  IoTサーバ
175  インターネット
180  リソース
200A  IoTデバイス
202  プラットフォーム
206  送受信機
208  プロセッサ
212  メモリ
214  入出力インターフェース
222、224A、224B  ボタン
226  ディスプレイ
300  通信デバイス
305  論理
310  論理
315  論理
320  論理
325  論理
400  サーバ
401  プロセッサ
402  揮発性メモリ
403  ディスクドライブ
404  ネットワークアクセスポート
406  ディスクドライブ
407  ネットワーク
500  ワイヤレス通信ネットワーク、WAN、ワイヤレスネットワーク
510、510a、510b、510c  基地局
520  デバイス
530  ネットワークコントローラ
540  DHCPサーバ
600  例示的な環境
610  第1のデバイス
612  分散バスノード
614  ローカルエンドポイント
625  分散バス、仮想分散バス
630  第2のデバイス
632  分散バスノード
634  ローカルエンドポイント
640  第3のデバイス
642  分散バスノード
644  ローカルエンドポイント
700  例示的なメッセージシーケンス
710  第1のデバイス、デバイスA
730  第2のデバイス、デバイスB
712  バスノード
714  ローカルエンドポイント
732  バスノード
734  ローカルエンドポイント
810  キューブ
820  車両オーディオシステム
830  ホスト
842  参加者
844  参加者
846  参加者
1100  ワイヤレス相互接続性デバイス
1105  ディスプレイ
1110  タッチスクリーン/キーパッド
1115  スピーカ
1120  マイクロフォン
1125  第1のトランシーバ
1130  第2のトランシーバ
1135  第3のトランシーバ
1140  第4のトランシーバ
1145  電源
1150  加速度計
1155  メモリ
1160  プロセッサ
【図１Ａ】
2016539587.tif 000003
【図１Ｂ】
2016539587.tif 000004
【図１Ｃ】
2016539587.tif 000005
【図１Ｄ】
2016539587.tif 000006
【図１Ｅ】
2016539587.tif 000007
【図２Ａ】
2016539587.tif 000008
【図２Ｂ】
2016539587.tif 000009
【図３】
2016539587.tif 000010
【図４】
2016539587.tif 000011
【図５】
2016539587.tif 000012
【図６】
2016539587.tif 000013
【図７】
2016539587.tif 000014
【図８】
2016539587.tif 000015
【図９Ａ】
2016539587.tif 000016
【図９Ｂ】
2016539587.tif 000017
【図１０】
2016539587.tif 000018
【図１１】
2016539587.tif 000019
【国際調査報告】
2016539587.tif 000020
2016539587.tif 000021